(57)【要約】【課題】本発明は、網点画像を出力する印刷機等を用いて網点画像を出力する際のインクの塗布厚の調整量を指示するインク調整量指示方法等に関し、オペレータの熟練に頼ることなく、インク調整量を客観的に算出して指示する。【解決手段】印刷機のカラープロファイルを求めておくとともにインク塗布厚の設定値とパッチの濃度値あるいは測色値との対応関係を求めておき、実際の印刷にあたって印刷用紙の余白にグレーパッチを印刷し測色してＣＩＥＸＹＺ値を求め、そのＣＩＥＸＹＺ値をカラープロファイルに従ってＣＭＹＫ値に変換し、そのＣＭＹＫ値と上記対応関係とからインク塗布厚の調整値を求める。【選択図】      図１１
2004195698.tif 000002
【特許請求の範囲】
【請求項１】
所定の記録媒体上に複数色の色インクを各色インクの塗布厚を調整しながら塗布することにより該記録媒体上に網点画像を出力する画像出力デバイスを用いて該記録媒体上に網点画像を出力する際の、該各色インクの塗布厚を調整するための各調整量を指示するインク調整量指示方法において、
前記各色インクの網点面積率を座標軸とするデバイス色空間上の座標値と、前記画像出力デバイスが所定の標準状態にあるときに該座標値に対応づけられた画像データに基づいて該画像出力デバイスで出力される網点画像上の色を表わす所定の共通色空間上の座標値とを対応づけたカラープロファイルを求める第１ステップと、
前記各色インクについて網点面積率１００％に対応づけられた各単色パッチデータに基づく各単色ベタパッチを、前記画像出力デバイスが所定の標準状態にあるときに前記各調整量のみ該標準状態から変化させることにより該各色インクの塗布厚を変化させながら該各インクごとに複数出力し、該各単色ベタパッチそれぞれのべた濃度を測定して、該各単色ベタパッチのベタ濃度値と前記調整量との対応関係を該各色インクごとに求める第２ステップと、
前記画像出力デバイスを用いて記録媒体上に網点画像を出力するにあたり該記録媒体上に出力された、前記カラープロファイルを介して前記共通色空間上の所定の目標座標値に対応づけられた前記デバイス色空間上の座標値にさらに対応づけられた目標パッチデータに基づく目標カラーパッチを測色して前記共通色空間上の座標値を求める第３ステップと、
前記共通色空間上の、前記第３ステップで求められた座標値と前記目標座標値との双方に基づいて前記画像出力デバイスの現在の状態におけるベタ濃度の推定値を各色インクごとに求める第４ステップと、
前記第２ステップで求められた対応関係に基づいて、前記第４ステップで求められた各色インクごとのベタ濃度の推定値から該各色インクごとの前記各調整量を求める第５ステップと、
前記第５ステップで求められた前記各調整量を指示する第６ステップとを有することを特徴とするインク調整量指示方法。
【請求項２】
前記第３ステップは、前記目標カラーパッチとしてグレー色のパッチを出力するステップであることを特徴とする請求項１記載のインク調整量指示方法。
【請求項３】
前記デバイス色空間上の、画像データに対応づけられる座標値から、該デバイス色空間上の、ドットゲインを含んだ座標値への写像関係を定めておき、
前記第４ステップは、前記第３ステップで求められた共通色空間上の座標値から前記カラープロファイルに基づいて前記デバイス色空間上の座標値を求め、前記共通色空間上の前記目標座標値に対応づけられた該デバイス色空間上の座標値と、前記第３ステップで求められた共通色空間上の座標値から前記カラープロファイルに基づいて求められた該デバイス色空間上の座標値との双方を、前記写像関係に基づいて、該デバイス色空間上の各新たな座標値に変換する第１サブステップと、該第１サブステップで求められた該デバイス色空間上の２つの新たな座標値に基づいて、前記画像出力デバイスの現在の状態におけるべた濃度の推定値を求める第２サブステップとを有することを特徴とする請求項１記載のインク調整量指示方法。
【請求項４】
前記写像関係は、前記カラープロファイルにより前記デバイス色空間上の座標値に対応づけられた前記共通色空間上の座標値に基づいてドットゲインを含んだ各色インクごとの網％値を求める演算を前記デバイス色空間上の複数の座標値について行なうことにより、定めたものであることを特徴とする請求項３記載のインク調整量指示方法。
【請求項５】
前記写像関係は、前記デバイス色空間上の複数の座標値に対応づけられた複数のパッチデータに基づいて複数のカラーパッチを出力し、該複数のカラーパッチそれぞれについてドットゲインを含んだ各色インクごとの網％を測定することにより、定めたものであることを特徴とする請求項３記載のインク調整量指示方法。
【請求項６】
前記複数の座標値は、相互に濃度が異なるグレー色に対応する座標値であることを特徴とする請求項４又は５記載のインク調整量指示方法。
【請求項７】
前記第２サブステップは、前記２つの新たな座標値それぞれと前記画像出力デバイスが前記標準状態にあるときの標準べた濃度値とに基づいて該２つの新たな座標値に対応する２つの濃度値を求め、該２つの濃度値と前記標準べた濃度値とに基づいて、該画像出力デバイスの現在の状態におけるべた濃度の推定値を求めるものであることを特徴とする請求項３記載のインク調整量指示方法。
【請求項８】
所定の記録媒体上に複数色の色インクを各色インクの塗布厚を調整しながら塗布することにより該記録媒体上に網点画像を出力する画像出力デバイスを用いて該記録媒体上に網点画像を出力する際の、該各色インクの塗布厚を調整するための各調整量を指示するインク調整量指示方法において、
前記各色インクの網点面積率を座標軸とするデバイス色空間上の座標値と、前記画像出力デバイスが所定の標準状態にあるときに該座標値に対応づけられた画像データに基づいて該画像出力デバイスで出力される網点画像上の色を表わす、所定の共通色空間上の座標値とを対応づけたカラープロファイルを求める第１ステップと、
前記カラープロファイルを介して前記共通色空間上の所定の目標座標値に対応づけられた前記デバイス色空間上の座標値にさらに対応づけられた目標パッチデータに基づく目標カラーパッチを、前記画像出力デバイスが所定の標準状態にあるときに前記各調整量のみ該標準状態から変化させることにより前記各色インクの塗布厚を変化させながら複数出力し、該目標カラーパッチを測色して前記共通色空間上の座標値を求め、該共通色空間上の座標値を前記デバイス色空間上の座標値に変換し、該デバイス色空間上の座標値と前記調整量との対応関係を該各色インクごとに求める第２ステップと、
前記画像出力デバイスを用いて記録媒体上に網点画像を出力するにあたり該記録媒体上に出力された前記目標パッチデータに基づく目標カラーパッチを測色して前記共通色空間上の座標値を求める第３ステップと、
前記第３ステップで求められた前記共通色空間上の座標値から前記デバイス色空間上の座標値を求める第４ステップと、
前記第２ステップで求められた対応関係に基づいて、前記第４ステップで求められた前記デバイス色空間上の座標値を構成する各色インクごとの値から該各色インクごとの前記各調整量を求める第５ステップと、
前記第５ステップで求められた前記各調整量を指示する第６ステップとを有することを特徴とするインク調整量指示方法。
【請求項９】
前記第２ステップおよび前記第３ステップは、前記目標カラーパッチとしてグレー色のパッチを出力するステップであることを特徴とする請求項８記載のインク調整量指示方法。
【請求項１０】
前記第２ステップは、前記目標カラーパッチを測色して得た前記共通色空間上の座標値を前記カラープロファイルに基づいて前記デバイス色空間上の座標値に変換して該デバイス色空間上の座標値と前記調整量との対応関係を求めるステップであり、
前記第４ステップは、前記第３ステップで求められた共通色空間上の座標値から前記カラープロファイルに基づいて前記デバイス色空間上の座標値を求めるステップであることを特徴とする請求項８記載のインク調整量指示方法。
【請求項１１】
前記デバイス色空間上の、画像データに対応付けられる座標値からドットゲインを含んだ座標値への写像関係を定めておき、
前記第２ステップは、前記目標カラーパッチを測色して得た前記共通色空間上の座標値を前記カラープロファイルに基づいて前記デバイス色空間上の座標値に変換するとともに該デバイス色空間上の座標値を前記写像関係に基づいて該デバイス色空間上の新たな座標値に変換して、該新たな座標値と前記各調整量との対応関係を求めるステップであり、
前記第４ステップは、前記第３ステップで求められた共通色空間上の座標値から前記カラープロファイルに基づいて前記デバイス色空間上の座標値を求めるとともに該デバイス色空間上の座標値を前記写像関係に基づいて該デバイス色空間上の新たな座標値を求めるステップであり、
前記第５ステップは、前記第４ステップで求められた前記デバイス色空間の前記新たな座標値を構成する各色インクごとの値から該各色インクごとの前記各調整量を求めるステップであることを特徴とする請求項８記載のインク調整量指示方法。
【請求項１２】
前記第６ステップは、前記第５ステップで求められた前記各調整量を、前記画像出力デバイスの各色インクの塗布厚を手動調整するオペレータに向けて指示するものであることを特徴とする請求項１又は８記載のインク調整量指示方法。
【請求項１３】
前記第６ステップは、前記第５ステップで求められた前記各調整量を、前記画像出力デバイスの各色インクの塗布厚を自動調整する塗布厚調整装置に向けて指示するものであることを特徴とする請求項１又は８記載のインク調整量指示方法。
【請求項１４】
所定の記録媒体上に複数色の色インクを各色インクの塗布厚を調整しながら塗布することにより該記録媒体上に網点画像を出力する画像出力デバイスを用いて該記録媒体上に網点画像を出力する際の、該各色インクの塗布厚を調整するための各調整量を指示するインク調整量指示装置において、
前記各色インクの網点面積率を座標軸とするデバイス色空間上の座標値と、前記画像出力デバイスが所定の標準状態にあるときに該座標値に対応づけられた画像データに基づいて該画像出力デバイスで出力される網点画像上の色を表わす所定の共通色空間上の座標値とを対応づけたカラープロファイルと、前記各色インクについて網点面積率１００％に対応づけられた各単色パッチデータに基づく各単色ベタパッチを、前記画像出力デバイスが所定の標準状態にあるときに前記各調整量のみ該標準状態から変化させることにより該各色インクの塗布厚を変化させながら該各インクごとに複数出力して、該各単色ベタパッチそれぞれのべた濃度を測定することにより得られた、該各単色ベタパッチのベタ濃度値と前記調整量との該各色インクごとの対応関係とを記憶しておく記憶部と、
前記画像出力デバイスを用いて記録媒体上に網点画像を出力するにあたり該記録媒体上に出力された、前記カラープロファイルを介して前記共通色空間上の所定の目標座標値に対応づけられた前記デバイス色空間上の座標値にさらに対応づけられた目標パッチデータに基づく目標カラーパッチを測色することにより得られた前記共通色空間上の座標値を取得する測色データ取得部と、
前記共通色空間上の、前記測色データ取得部で取得された座標値と前記目標座標値との双方に基づいて前記画像出力デバイスの現在の状態におけるベタ濃度の推定値を各色インクごとに求めるべた濃度算出部と、
前記記憶部に記憶された対応関係に基づいて、前記べた濃度算出部で求められた各色インクごとのベタ濃度の推定値から該各色インクごとの前記各調整量を求める調整量算出部と、
前記調整量算出部で求められた前記各調整量を指示する調整量指示部とを備えたことを特徴とするインク調整量指示装置。
【請求項１５】
前記記憶部は、さらに、前記デバイス色空間上の、画像データに対応づけられる座標値から、該デバイス色空間上の、ドットゲインを含んだ座標値への写像関係を記憶しておくものであり、
前記べた濃度算出部は、前記測色データ取得部で取得された共通色空間上の座標値から前記カラープロファイルに基づいて前記デバイス色空間上の座標値を求め、前記共通色空間上の前記目標座標値に対応づけられた該デバイス色空間上の座標値と、前記測色データ取得部で取得された共通色空間上の座標値から前記カラープロファイルに基づいて求められた該デバイス色空間上の座標値との双方を、前記写像関係に基づいて、該デバイス色空間上の各新たな座標値に変換するドットゲイン算入部と、該ドットゲイン算入部で求められた該デバイス色空間上の２つの新たな座標値に基づいて前記画像出力デバイスの現在の状態におけるべた濃度の推定値を求めるべた濃度推定部とを備えたことを特徴とする請求項１４記載のインク調整量指示装置。
【請求項１６】
前記べた濃度推定部は、前記２つの新たな座標値それぞれと前記画像出力デバイスが前記標準状態にあるときの標準べた濃度値とに基づいて該２つの新たな座標値に対応する２つの濃度値を求め、該２つの濃度値と前記標準べた濃度値とに基づいて、該画像出力デバイスの現在の状態におけるべた濃度の推定値を求めるものであることを特徴とする請求項１５記載のインク調整量指示装置。
【請求項１７】
所定の記録媒体上に複数色の色インクを各色インクの塗布厚を調整しながら塗布することにより該記録媒体上に網点画像を出力する画像出力デバイスを用いて該記録媒体上に網点画像を出力する際の、該各色インクの塗布厚を調整するための各調整量を指示するインク調整量指示装置において、
前記各色インクの網点面積率を座標軸とするデバイス色空間上の座標値と、前記画像出力デバイスが所定の標準状態にあるときに該座標値に対応づけられた画像データに基づいて該画像出力デバイスで出力される網点画像上の色を表わす所定の共通色空間上の座標値とを対応づけたカラープロファイルと、該カラープロファイルを介して前記共通色空間上の所定の目標座標値に対応づけられた前記デバイス色空間上の座標値にさらに対応づけられた目標パッチデータに基づく目標カラーパッチを、前記画像出力デバイスが所定の標準状態にあるときに前記各調整量のみ該標準状態から変化させることにより前記各色インクの塗布厚を変化させながら該各色インクごとに複数出力し、該目標カラーパッチを測色して前記共通色空間上の座標値を求めて、該共通色空間上の座標値を前記デバイス色空間上の座標値に変換することにより得られた、該デバイス色空間上の座標値と前記調整量との該各色インクごとの対応関係とを記憶しておく記憶部と、
前記画像出力デバイスを用いて記録媒体上に網点画像を出力するにあたり該記録媒体上に出力された前記目標パッチデータに基づく目標カラーパッチを測色することにより得られた前記共通色空間上の座標値を取得する測色データ取得部と、
前記測色データ取得部で取得された前記共通色空間上の座標値から前記デバイス色空間上の座標値を求める座標写像部と、
前記記憶部に記憶された対応関係に基づいて、前記座標写像部で求められた前記デバイス色空間上の座標値を構成する各色インクごとの値から該各色インクごとの前記各調整量を求める調整量算出部と、
前記調整量算出部で求められた前記各調整量を指示する調整量指示部とを備えたことを特徴とするインク調整量指示装置。
【請求項１８】
前記調整量指示部は、前記調整量算出部で求められた前記各調整量を、前記画像出力デバイスの各色インクの塗布厚を手動調整するオペレータに向けて指示するものであることを特徴とする請求項１４又は１７記載のインク調整量指示装置。
【請求項１９】
前記調整量指示部は、前記調整量算出部で求められた前記各調整量を、前記画像出力デバイスの各色インクの塗布厚を自動調整する塗布厚調整装置に向けて指示するものであることを特徴とする請求項１４又は１７記載のインク調整量指示装置。
【請求項２０】
プログラムを実行する情報処理装置内で実行され、該情報処理装置を、所定の記録媒体上に複数色の色インクを各色インクの塗布厚を調整しながら塗布することにより該記録媒体上に網点画像を出力する画像出力デバイスを用いて該記録媒体上に網点画像を出力する際の、該各色インクの塗布厚を調整するための各調整量を指示するインク調整量指示装置として動作させるインク調整量指示プログラムであって、
前記情報処理装置を、
前記各色インクの網点面積率を座標軸とするデバイス色空間上の座標値と、前記画像出力デバイスが所定の標準状態にあるときに該座標値に対応づけられた画像データに基づいて該画像出力デバイスで出力される網点画像上の色を表わす所定の共通色空間上の座標値とを対応づけたカラープロファイルと、前記各色インクについて網点面積率１００％に対応づけられた各単色パッチデータに基づく各単色ベタパッチを、前記画像出力デバイスが所定の標準状態にあるときに前記各調整量のみ該標準状態から変化させることにより該各色インクの塗布厚を変化させながら該各色インクごとに複数出力して、該各単色ベタパッチそれぞれのべた濃度を測定することにより得られた、該各単色ベタパッチのベタ濃度値と前記調整量との該各色インクごとの対応関係とを記憶しておく記憶部と、
前記画像出力デバイスを用いて記録媒体上に網点画像を出力するにあたり該記録媒体上に出力された、前記カラープロファイルを介して前記共通色空間上の所定の目標座標値に対応づけられた前記デバイス色空間上の座標値にさらに対応づけられた目標パッチデータに基づく目標カラーパッチを測色することにより得られた前記共通色空間上の座標値を取得する測色データ取得部と、
前記共通色空間上の、前記測色データ取得部で取得された座標値と前記目標座標値との双方に基づいて前記画像出力デバイスの現在の状態におけるベタ濃度の推定値を各色インクごとに求めるべた濃度算出部と、
前記記憶部に記憶された対応関係に基づいて、前記べた濃度算出部で求められた各色インクごとのベタ濃度の推定値から該各色インクごとの前記各調整量を求める調整量算出部と、
前記調整量算出部で求められた前記各調整量を指示する調整量指示部とを備えたインク調整量指示装置として動作させることを特徴とするインク調整量指示プログラム。
【請求項２１】
前記記憶部は、さらに、前記デバイス色空間上の、画像データに対応づけられる座標値から、該デバイス色空間上の、ドットゲインを含んだ座標値への写像関係を記憶しておくものであり、
前記べた濃度算出部は、前記測色データ取得部で取得された共通色空間上の座標値から前記カラープロファイルに基づいて前記デバイス色空間上の座標値を求め、前記共通色空間上の前記目標座標値に対応づけられた該デバイス色空間上の座標値と、前記測色データ取得部で取得された共通色空間上の座標値から前記カラープロファイルに基づいて求められた該デバイス色空間上の座標値との双方を、前記写像関係に基づいて、該デバイス色空間上の各新たな座標値に変換するドットゲイン算入部と、該ドットゲイン算入部で求められた該デバイス色空間上の２つの新たな座標値に基づいて前記画像出力デバイスの現在の状態におけるべた濃度の推定値を求めるべた濃度推定部とを備えたことを特徴とする請求項２０記載のインク調整量指示プログラム。
【請求項２２】
前記べた濃度推定部は、前記２つの新たな座標値それぞれと前記画像出力デバイスが前記標準状態にあるときの標準べた濃度値とに基づいて該２つの新たな座標値に対応する２つの濃度値を求め、該２つの濃度値と前記標準べた濃度値とに基づいて、該画像出力デバイスの現在の状態におけるべた濃度の推定値を求めるものであることを特徴とする請求項２１記載のインク調整量指示プログラム。
【請求項２３】
プログラムを実行する情報処理装置内で実行され、該情報処理装置を、所定の記録媒体上に複数色の色インクを各色インクの塗布厚を調整しながら塗布することにより該記録媒体上に網点画像を出力する画像出力デバイスを用いて該記録媒体上に網点画像を出力する際の、該各色インクの塗布厚を調整するための各調整量を指示するインク調整量指示装置として動作させるインク調整量指示プログラムにおいて、
前記各色インクの網点面積率を座標軸とするデバイス色空間上の座標値と、前記画像出力デバイスが所定の標準状態にあるときに該座標値に対応づけられた画像データに基づいて該画像出力デバイスで出力される網点画像上の色を表わす所定の共通色空間上の座標値とを対応づけたカラープロファイルと、該カラープロファイルを介して前記共通色空間上の所定の目標座標値に対応づけられた前記デバイス色空間上の座標値にさらに対応づけられた目標パッチデータに基づく目標カラーパッチを、前記画像出力デバイスが所定の標準状態にあるときに前記各調整量のみ該標準状態から変化させることにより前記各色インクの塗布厚を変化させながら該各色インクごとに複数出力し、該目標カラーパッチを測色して前記共通色空間上の座標値を求めて、該共通色空間上の座標値を前記デバイス色空間上の座標値に変換することにより得られた、該デバイス色空間上の座標値と前記調整量との該各色インクごとの対応関係とを記憶しておく記憶部と、
前記画像出力デバイスを用いて記録媒体上に網点画像を出力するにあたり該記録媒体上に出力された前記目標パッチデータに基づく目標カラーパッチを測色することにより得られた前記共通色空間上の座標値を取得する測色データ取得部と、
前記測色データ取得部で取得された前記共通色空間上の座標値から前記デバイス色空間上の座標値を求める座標写像部と、
前記記憶部に記憶された対応関係に基づいて、前記座標写像部で求められた前記デバイス色空間上の座標値を構成する各色インクごとの値から該各色インクごとの前記各調整量を求める調整量算出部と、
前記調整量算出部で求められた前記各調整量を指示する調整量指示部とを備えたインク調整量指示装置として動作させることを特徴とするインク調整量指示プログラム。
【請求項２４】
前記調整量指示部は、前記調整量算出部で求められた前記各調整量を、前記画像出力デバイスの各色インクの塗布厚を手動調整するオペレータに向けて指示するものであることを特徴とする請求項２０又は２３記載のインク調整量指示プログラム。
【請求項２５】
前記調整量指示部は、前記調整量算出部で求められた前記各調整量を、前記画像出力デバイスの各色インクの塗布厚を手動調整する塗布厚調整装置に向けて指示するものであることを特徴とする請求項２０又は２３記載のインク調整量指示プログラム。
【発明の詳細な説明】
【０００１】
【発明の属する技術分野】
本発明は、網点画像を出力する画像出力デバイスを用いて網点画像を出力する際のインクの塗布厚の調整量を指示するインク調整量指示方法、インク調整量指示装置、およびコンピュータなどの情報処理装置をインク調整量指示装置として動作させるインク調整装置指示プログラムに関する。
【０００２】
【従来の技術】
輪転機を回わして大量印刷を行なう印刷機やその他一部のプリンタ等では、インクの塗布面積の割合（網点面積率）によって濃度や色が表現された網点画像が出力される。
【０００３】
しかしながら網点画像の場合であってもその濃度等は必ずしも網点面積率のみによって定まるものではなく、インクが塗布された部分のインクの厚みによってもその濃度等が変化する。
【０００４】
そこで、例えば印刷機の場合、刷版にインクを供給するためのインク供給経路の上流側にあるロールに隣接するとともにそのロールの回転軸方向に配列された複数（例えば３０個）のインクキーを備え、それらのインクキーの開度を調整したりそのローラの回転速度を調整することにより、刷版に供給するインクの厚みを常に所定のインク厚みに調整するように構成されている。ここで複数のインクキーそれぞれの開度を調整するとそのローラの回転軸方向を複数のインクキーに応じて分割した各領域ごとのインク塗布厚が調整され、そのローラの回転速度を調整すると刷版全域に亘るインク塗布厚が調整される。
【０００５】
ここで、インクキーの開度やローラ回転速度を調整してインク塗布厚を調整するために、印刷用紙上の余白領域にローラの回転軸方向に並んだカラーパッチを印刷してそれらのカラーパッチの色をオンラインで測定し、その測定結果がオペレータに示される。オペレータは、その測定結果を見て、インクキーの開度やローラの回転速度の調整を行なっている。
【０００６】
従来は、上記のように、オンラインでの測定結果がオペレータに示されるものの、例えば少し‘赤っぽい’という測定結果が得られたときに、Ｃ（シアン）のインク厚を減ずればよいのかそれともＭ（マゼンタ）とＹ（イエロー）のインク厚を厚くすればよいのかかならずしも明らかではなく、オペレータの経験と勘に頼って調整が行なわれている。
【０００７】
ここで、特許文献１には、インク供給量供給装置に目標入力の割り込みを設けインク供給量制御中において任意のインクキーの開度を調整できるようにした技術が開示されている。この技術が生まれた背景は以下のとおりである。この特許文献１に開示されているようなインキ供給量調整装置は、一般的に、制御目標値入力装置に登録されたべた濃度値と印刷物のインク濃度を計測する装置で計測されたべた濃度値とをもとに、インキ供給の補正をする機能を持っている。しかし、このべた濃度を目標値になるように管理しても、インキや紙の材料種の違い（メーカーから粘度の異なるインキが売られている、アート紙、マット紙などさまざまな紙がある、など）、印刷機の置かれている部屋の温度／湿度が変化することなどの要因によって、ドットゲイン量が変わってしまい、色校正見本と同じような色には仕上がらない。そのため、この特許文献１の段落番号［０００５］〜［０００８］に記載されているように、オペレータが目標値を再設定する作業を行う必要がある。この特許文献１は、このような作業に対し、オペレータが重要視している中間調の色の状態を見ながら目標値修正の割り込み処理を行なうことができるようにすることでオペレータの設定作業の効率をあげることを実現しているものである。しかしながら、この特許文献１では、この目標値の変更を行う作業においては、相変わらずオペレータの経験や試行錯誤が必要となる、という点では何ら変わりなく、この点に関しては何ら解決されていない。
【０００８】
【特許文献１】
特開平９−３００５９０号公報
【０００９】
【発明が解決しようとする課題】
本発明は、上記事情に鑑み、オペレータの熟練に頼ることなく、インク調整量を客観的に算出して指示するインク調整量指示方法、インク調整量指示装置、およびコンピュータ等の情報処理装置をそのようなインク調整量指示装置として動作させるインク調整量指示プログラムを提供することを目的とする。
【００１０】
【課題を解決するための手段】
上記目的を達成する本発明のインクのうちの第１のインク調整量指示方法は、所定の記録媒体上に複数色の色インクを各色インクの塗布厚を調整しながら塗布することにより記録媒体上に網点画像を出力する画像出力デバイスを用いて記録媒体上に網点画像を出力する際の、各色インクの塗布厚を調整するための各調整量を指示するインク調整量指示方法において、
各色インクの網点面積率を座標軸とするデバイス色空間上の座標値と、画像出力デバイスが所定の標準状態にあるときに該座標値に対応づけられた画像データに基づいて画像出力デバイスで出力される網点画像上の色を表わす所定の共通色空間上の座標値とを対応づけたカラープロファイルを求める第１ステップと、
各色インクについて網点面積率１００％に対応づけられた各単色パッチデータに基づく各単色ベタパッチを、画像出力デバイスが所定の標準状態にあるときに上記各調整量のみその標準状態から変化させることにより各色インクの塗布厚を変化させながら各インクごとに複数出力し、各単色ベタパッチそれぞれのべた濃度を測定して、各単色ベタパッチのべた濃度値と上記調整量との対応関係を各色インクごとに求める第２ステップと、
画像出力デバイスを用いて記録媒体上に網点画像を出力するにあたりその記録媒体上に出力された、カラープロファイルを介して共通色空間上の所定の目標座標値に対応づけられたデバイス色空間上の座標値にさらに対応づけられた目標パッチデータに基づく目標カラーパッチを測色して共通色空間上の座標値を求める第３ステップと、
共通色空間上の、上記第３ステップで求められた座標値と上記目標座標値との双方に基づいて画像出力デバイスの現在の状態におけるべた濃度の推定値を各色インクごとに求める第４ステップと、
上記第２ステップで求められた対応関係に基づいて、上記第４ステップで求められた各色インクごとのべた濃度の推定値から各色インクごとの各調整量を求める第５ステップと、
上記第５ステップで求められた各調整量を指示する第６ステップとを有することを特徴とする。
【００１１】
ここで、上記第３ステップは、上記目標カラーパッチとしてグレー色のパッチを出力するステップであることが好ましい。
【００１２】
上記第１のインク調整量指示方法において、上記第６ステップは、上記第５ステップで求められた各調整量を、画像出力デバイスの各色インクの塗布厚を手動調整するオペレータに向けて指示するものであってもよく、あるいは、上記第６ステップは、上記第５ステップで求められた各調整量を、画像出力デバイスの各色インクの塗布厚を自動調整する塗布厚調整装置に向けて指示するものであってもよい。
【００１３】
従来より、画像出力デバイスで所望の濃度や色彩を持つ画像を出力するために、その画像出力デバイスのカラープロファイルが作成され、画像出力用に編集した画像データをその画像出力デバイスのカラープロファイルを用いて変換し、その変換後の画像データを画像出力デバイスに送り、その画像出力デバイスで、その変換後の画像データに基づく所望の色彩の画像を出力することが行なわれている。
【００１４】
本発明は、このカラープロファイルを利用してインク塗布厚の調整量を算出することに想到し完成されたものである。
【００１５】
用紙上に網点画像を出力すると、インクの広がり具合等により、用紙上の網点画像の網点面積率は画像データ上の網点面積率よりも大きな面積率となる、いわゆるドットゲインが生じる。本発明の第１のインク調整量指示方法は、このドットゲインを考慮してインク調整量を正確に算出するものである。これに対し後述する本発明の第２のインク調整量指示方法では、初期のデータ収集時の網点面積率と同一の網点面積率のカラーパッチを作成することで、ドッゲインの影響を陽には考慮する必要なく、正確なインク調整量が算出される。
【００１６】
ここで、上記第１のインク調整量指示方法は、ドットゲインを考慮する具体的な方法として、デバイス色空間上の、画像データに対応づけられる座標値から、デバイス色空間上の、ドットゲインを含んだ座標値への写像関係を定めておき、上記第４ステップは、第３ステップで求められた共通色空間上の座標値からカラープロファイルに基づいてデバイス色空間上の座標値を求め、共通色空間上の上記目標座標値に対応づけられたデバイス色空間上の座標値と、第３ステップで求められた共通色空間上の座標値からカラープロファイルに基づいて求められたデバイス色空間上の座標値との双方を、上記写像関係に基づいて、デバイス色空間上の各新たな座標値に変換する第１サブステップと、その第１サブステップで求められたデバイス色空間上の２つの新たな座標値に基づいて、画像出力デバイスの現在の状態におけるべた濃度の推定値を求める第２サブステップとを有する構成としてもよい。
【００１７】
この場合に、上記写像関係は、カラープロファイルによりデバイス色空間上の座標値に対応づけられた共通色空間上の座標値に基づいてドットゲインを含んだ各色インクごとの網％値を求める演算をデバイス色空間上の複数の座標値について行なうことにより、定めたものであってもよく、あるいは、上記写像関係は、デバイス色空間上の複数の座標値に対応づけられた複数のパッチデータに基づいて複数のカラーパッチを出力し、それら複数のカラーパッチそれぞれについてドットゲインを含んだ各色インクごとの網％を測定することにより、定めたものであることがさらに好ましい。これらの場合に、上記複数の座標値は、相互に濃度が異なるグレー色に対応する座標値であることが好ましい。
【００１８】
また、上記第２サブステップは、上記２つの新たな座標値それぞれと画像出力デバイスが標準状態にあるときの標準べた濃度値とに基づいてそれら２つの新たな座標値に対応する２つの濃度値を求め、それら２つの濃度値と上記標準べた濃度値とに基づいて、画像出力デバイスの現在の状態におけるべた濃度の推定値を求めるものであってもよい。
【００１９】
また、上記目的を達成する本発明のインク調整量指示方法のうちの第２のインク調整量指示方法は、所定の記録媒体上に複数色の色インクを各色インクの塗布厚を調整しながら塗布することによりその記録媒体上に網点画像を出力する画像出力デバイスを用いてその記録媒体上に網点画像を出力する際の、各色インクの塗布厚を調整するための各調整量を指示するインク調整量指示方法において、
各色インクの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす、所定の共通色空間上の座標値とを対応づけたカラープロファイルを求める第１ステップと、
カラープロファイルを介して共通色空間上の所定の目標座標値に対応づけられたデバイス色空間上の座標値にさらに対応づけられた目標パッチデータに基づく目標カラーパッチを、画像出力デバイスが所定の標準状態にあるときに上記各調整量のみその標準状態から変化させることにより各色インクの塗布厚を変化させながら複数出力し、それらの目標カラーパッチを測色して共通色空間上の座標値を求め、共通色空間上の座標値をデバイス色空間上の座標値に変換し、デバイス色空間上の座標値と上記調整量との対応関係を各色インクごとに求める第２ステップと、
画像出力デバイスを用いて記録媒体上に網点画像を出力するにあたり記録媒体上に出力された上記目標パッチデータに基づく目標カラーパッチを測色して共通色空間上の座標値を求める第３ステップと、
上記第３ステップで求められた共通色空間上の座標値からデバイス色空間上の座標値を求める第４ステップと、
上記第２ステップで求められた対応関係に基づいて、上記第４ステップで求められたデバイス色空間上の座標値を構成する各色インクごとの値から各色インクごとの上記各調整量を求める第５ステップと、
上記第５ステップで求められた各調整量を指示する第６ステップとを有することを特徴とする。
【００２０】
ここで、上記第２のインク調整量指示方法において、上記第２ステップおよび上記第３ステップは、上記目標カラーパッチとしてグレー色のパッチを出力するステップであることが好ましい。
【００２１】
また、上記第２のインク調整量指示方法においても、上記第１のインク調整指示方法と同様、上記第６ステップは、第５ステップで求められた各調整量を、画像出力デバイスの各色インクの塗布厚を手動調整するオペレータに向けて指示するものであってもよく、あるいは上記第６ステップは、第５ステップで求められた各調整量を、画像出力デバイスの各色インクの塗布厚を自動調整する塗布厚調整装置に向けて指示するものであってもよい。
【００２２】
また、上記第２のインク調整量指示方法において、
上記第２ステップは、目標カラーパッチを測色して得た共通色空間上の座標値をカラープロファイルに基づいてデバイス色空間上の座標値に変換してそのデバイス色空間上の座標値と上記調整量との対応関係を求めるステップであり、
上記第４ステップは、第３ステップで求められた共通色空間上の座標値からカラープロファイルに基づいてデバイス色空間上の座標値を求めるステップであってもよく、あるいは、
上記デバイス色空間上の、画像データに対応付けられる座標値からドットゲインを含んだ座標値への写像関係を定めておき、
上記第２ステップは、目標カラーパッチを測色して得た共通色空間上の座標値をカラープロファイルに基づいてデバイス色空間上の座標値に変換するとともにデバイス色空間上の座標値を上記写像関係に基づいてデバイス色空間上の新たな座標値に変換して、その新たな座標値と上記各調整量との対応関係を求めるステップであり、
上記第４ステップは、第３ステップで求められた共通色空間上の座標値からカラープロファイルに基づいてデバイス色空間上の座標値を求めるとともにデバイス色空間上の座標値を上記写像関係に基づいてデバイス色空間上の新たな座標値を求めるステップであり、
上記第５ステップは、第４ステップで求められたデバイス色空間の新たな座標値を構成する各色インクごとの値から各色インクごとの上記各調整量を求めるステップであってもよい。
【００２３】
また、上記目的を達成する本発明のインク調整量指示装置のうちの第１のインク調整量指示装置は、所定の記録媒体上に複数色の色インクを各色インクの塗布厚を調整しながら塗布することによりその記録媒体上に網点画像を出力する画像出力デバイスを用いてその記録媒体上に網点画像を出力する際の、各色インクの塗布厚を調整するための各調整量を指示するインク調整量指示方法において、
各色インクの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす所定の共通色空間上の座標値とを対応づけたカラープロファイルと、各色インクについて網点面積率１００％に対応づけられた各単色パッチデータに基づく各単色ベタパッチを、画像出力デバイスが所定の標準状態にあるときに上記各調整量のみその標準状態から変化させることにより各色インクの塗布厚を変化させながら各色インクごとに複数出力して、各単色ベタパッチそれぞれのべた濃度を測定することにより得られた、各単色ベタパッチのべた濃度値と上記調整量との各色インクごとの対応関係とを記憶しておく記憶部と、
画像出力デバイスを用いて記録媒体上に網点画像を出力するにあたりその記録媒体上に出力された、カラープロファイルを介して共通色空間上の所定の目標座標値に対応づけられたデバイス色空間上の座標値にさらに対応づけられた目標パッチデータに基づく目標カラーパッチを測色することにより得られた共通色空間上の座標値を取得する測色データ取得部と、
共通色空間上の、上記測色データ取得部で取得された座標値と上記目標座標値との双方に基づいて画像出力デバイスの現在の状態におけるべた濃度の推定値を各色インクごとに求めるべた濃度算出部と、
上記記憶部に記憶された対応関係に基づいて、べた濃度算出部で求められた各色インクごとのべた濃度の推定値から各色インクごとの各調整量を求める調整量算出部と、
上記調整量算出部で求められた各調整量を指示する調整量指示部とを備えたことを特徴とする。
【００２４】
この第１のインク調整量指示装置は、上述の第１のインク調整量指示方法に対応づけられるものであり、その第１のインク調整量指示方法の実施に好適に適用されるものである。
【００２５】
ここで、この第１のインク調整量指示装置において、上記調整量指示部は、調整量算出部で求められた各調整量を、画像出力デバイスの各色インクの塗布厚を手動調整するオペレータに向けて指示するものであってもよく、あるいは上記調整量指示部は、調整量算出部で求められた各調整量を、画像出力デバイスの各色インクの塗布厚を自動調整する塗布厚調整装置に向けて指示するものであってもよい。
【００２６】
また、上記第１のインク調整量指示装置において、上記記憶部は、さらに、デバイス色空間上の、画像データに対応づけられる座標値から、デバイス色空間上の、ドットゲインを含んだ座標値への写像関係を記憶しておくものであり、
上記べた濃度算出部は、測色データ取得部で取得された共通色空間上の座標値からカラープロファイルに基づいてデバイス色空間上の座標値を求め、共通色空間上の目標座標値に対応づけられたデバイス色空間上の座標値と、測色データ取得部で取得された共通色空間上の座標値からカラープロファイルに基づいて求められたデバイス色空間上の座標値との双方を、上記写像関係に基づいて、デバイス色空間上の各新たな座標値に変換するドットゲイン算入部と、そのドットゲイン算入部で求められたデバイス色空間上の２つの新たな座標値に基づいて画像出力デバイスの現在の状態におけるべた濃度の推定値を求めるべた濃度推定部とを備えた構成としてもよい。その場合に、上記べた濃度推定部は、上記２つの新たな座標値それぞれと画像出力デバイスが標準状態にあるときの標準べた濃度値とに基づいてそれら２つの新たな座標値に対応する２つの濃度値を求め、それら２つの濃度値と上記標準べた濃度値とに基づいて、画像出力デバイスの現在の状態におけるべた濃度の推定値を求めるものであってもよい。
【００２７】
また、上記目的を達成する本発明のインク調整量指示装置のうちの第２のインク調整量指示装置は、所定の記録媒体上に複数色の色インクを各色インクの塗布厚を調整しながら塗布することによりその記録媒体上に網点画像を出力する画像出力デバイスを用いてその記録媒体上に網点画像を出力する際の、各色インクの塗布厚を調整するための各調整量を指示するインク調整量指示装置において、
各色インクの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす所定の共通色空間上の座標値とを対応づけたカラープロファイルと、そのカラープロファイルを介して共通色空間上の所定の目標座標値に対応づけられたデバイス色空間上の座標値にさらに対応づけられた目標パッチデータに基づく目標カラーパッチを画像出力デバイスが所定の標準状態にあるときに上記各調整量のみその標準状態から変化させることにより各色インクの塗布厚を変化させながら各色インクごとに複数出力し、それらの目標カラーパッチを測色して共通色空間上の座標値を求めて、共通色空間上の座標値をデバイス色空間上の座標値に変換することにより得られた、デバイス色空間上の座標値と上記調整量との各色インクごとの対応関係とを記憶しておく記憶部と、
画像出力デバイスを用いて記録媒体上に網点画像を出力するにあたりその記録媒体上に出力された目標パッチデータに基づく目標カラーパッチを測色することにより得られた共通色空間上の座標値を取得する測色データ取得部と、
測色データ取得部で取得された共通色空間上の座標値からデバイス色空間上の座標値を求める座標写像部と、
記憶部に記憶された対応関係に基づいて、座標写像部で求められたデバイス色空間上の座標値を構成する各色インクごとの値から該各色インクごとの各調整量を求める調整量算出部と、
調整量算出部で求められた各調整量を指示する調整量指示部とを備えたことを特徴とする。
【００２８】
この第２のインク調整量指示装置は、上述の第２のインク調整量指示方法の実施に好適に用いることができるものである。
【００２９】
ここで、上記第２のインク調整量指示装置においても、上述の第１のインク調整量指示装置の場合と同様、上記調整量指示部は、調整量算出部で求められた各調整量を、画像出力デバイスの各色インクの塗布厚を手動調整するオペレータに向けて指示するものであってもよく、あるいは上記調整量指示部は、調整量算出部で求められた各調整量を、画像出力デバイスの各色インクの塗布厚を自動調整する塗布厚調整装置に向けて指示するものであってもよい。
【００３０】
また、本発明のインク調整量指示プログラムのうちの第１のインク調整量指示プログラムは、プログラムを実行する情報処理装置内で実行され、その情報処理装置を本発明の第１のインク調整量指示装置として動作させるものである。すなわち、本発明の第１のインク調整量指示プログラムは、
プログラムを実行する情報処理装置内で実行され、その情報処理装置を、所定の記録媒体上に複数色の色インクを各色インクの塗布厚を調整しながら塗布することによりその記録媒体上に網点画像を出力する画像出力デバイスを用いて記録媒体上に網点画像を出力する際の、各色インクの塗布厚を調整するための各調整量を指示するインク調整量指示装置として動作させるインク調整量指示プログラムであって、
上記情報処理装置を、
各色インクの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす所定の共通色空間上の座標値とを対応づけたカラープロファイルと、各色インクについて網点面積率１００％に対応づけられた各単色パッチデータに基づく各単色ベタパッチを、画像出力デバイスが所定の標準状態にあるときに上記各調整量のみその標準状態から変化させることにより各色インクの塗布厚を変化させながら各色インクごとに複数出力して、各単色ベタパッチそれぞれのべた濃度を測定することにより得られた、各単色ベタパッチのべた濃度値と上記調整量との各色インクごとの対応関係とを記憶しておく記憶部と、
画像出力デバイスを用いて記録媒体上に網点画像を出力するにあたりその記録媒体上に出力されたカラープロファイルを介して共通色空間上の所定の目標座標値に対応づけられたデバイス色空間上の座標値にさらに対応づけられた目標パッチデータに基づく目標カラーパッチを測色することにより得られた共通色空間上の座標値を取得する測色データ取得部と、
共通色空間上の、上記測色データ取得部で取得された座標値と上記目標座標値との双方に基づいて画像出力デバイスの現在の状態におけるべた濃度の推定値を各色インクごとに求めるべた濃度算出部と、
上記記憶部に記憶された対応関係に基づいて、べた濃度算出部で求められた各色インクごとのべた濃度の推定値から各色インクごとの各調整量を求める調整量算出部と、
上記調整量算出部で求められた各調整量を指示する調整量指示部とを備えたインク調整量指示装置として動作させることを特徴とする。
【００３１】
ここで、この第１のインク調整量指示プログラムにおいて、上記調整量指示部は、調整量算出部で求められた各調整量を、画像出力デバイスの各色インクの塗布厚を手動調整するオペレータに向けて指示するものであってもよく、あるいは、上記調整量指示部は、調整量算出部で求められた各調整量を、画像出力デバイスの各色インクの塗布厚を手動調整する塗布厚調整装置に向けて指示するものであってもよい。
【００３２】
また、上記第１のインク調整量指示プログラムにおいて、
上記記憶部は、さらに、デバイス色空間上の、画像データに対応づけられる座標値から、デバイス色空間上の、ドットゲインを含んだ座標値への写像関係を記憶しておくものであり、
上記べた濃度算出部は、測色データ取得部で取得された共通色空間上の座標値からカラープロファイルに基づいてデバイス色空間上の座標値を求め、共通色空間上の目標座標値に対応づけられたデバイス色空間上の座標値と、測色データ取得部で取得された共通色空間上の座標値からカラープロファイルに基づいて求められたデバイス色空間上の座標値との双方を、上記写像関係に基づいて、デバイス色空間上の各新たな座標値に変換するドットゲイン算入部と、そのドットゲイン算入部で求められたデバイス色空間上の２つの新たな座標値に基づいて画像出力デバイスの現在の状態におけるべた濃度の推定値を求めるべた濃度推定部とを備えたものであってもよく、その場合に、上記べた濃度推定部は、上記２つの新たな座標値それぞれと画像出力デバイスが標準状態にあるときの標準べた濃度値とに基づいてそれら２つの新たな座標値に対応する２つの濃度値を求め、それら２つの濃度値と上記標準べた濃度値とに基づいて、画像出力デバイスの現在の状態におけるべた濃度の推定値を求めるものであってもよい。
【００３３】
また、本発明のインク調整量指示プログラムのうちの第２のインク調整量指示プログラムは、プログラムを実行する情報処理装置内で実行され、その情報処理装置を本発明の第２のインク調整量指示装置として動作させるものである。すなわち、本発明の第２のインク調整量指示プログラムは、
プログラムを実行する情報処理装置内で実行され、その情報処理装置を、所定の記録媒体上に複数色の色インクを各色インクの塗布厚を調整しながら塗布することによりその記録媒体上に網点画像を出力する画像出力デバイスを用いてその記録媒体上に網点画像を出力する際の、各色インクの塗布厚を調整する各調整量を指示するインク調整量指示装置として動作させるインク調整量指示プログラムにおいて、
各色インクの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす所定の共通色空間上の座標値とを対応づけたカラープロファイルと、そのカラープロファイルを介して共通色空間上の所定の目標座標値に対応づけられたデバイス色空間上の座標値にさらに対応づけられた目標パッチデータに基づく目標カラーパッチを、画像出力デバイスが所定の標準状態にあるときに上記各調整量のみその標準状態から変化させることにより各色インクの塗布厚を変化させながら各色インクごとに複数出力し、それらの目標カラーパッチを測色して共通色空間上の座標値を求めて、共通色空間上の座標値をデバイス色空間上の座標値に変換することにより得られた、デバイス色空間上の座標値と上記調整量との各色インクごとの対応関係とを記憶しておく記憶部と、
画像出力デバイスを用いて記録媒体上に網点画像を出力するにあたりその記録媒体上に出力された目標パッチデータに基づく目標カラーパッチを測色することにより得られた共通色空間上の座標値を取得する測色データ取得部と、
測色データ取得部で取得された共通色空間上の座標値からデバイス色空間上の座標値を求める座標写像部と、
記憶部に記憶された対応関係に基づいて、座標写像部で求められたデバイス色空間上の座標値を構成する各色インクごとの値から該各色インクごとの各調整量を求める調整量算出部と、
調整量算出部で求められた各調整量を指示する調整量指示部とを備えたインク調整量指示装置として動作させることを特徴とする。
【００３４】
【発明の実施の形態】
以下、本発明の実施形態について説明する。
【００３５】
図１は、本発明の一実施形態が適用された印刷システムを含む、印刷およびプルーフ画像作成システムの全体構成図である。ここで、図１中の印刷システム４０には、印刷機のほか本発明の一実施形態のインク調整量指示装置等が含まれている。したがって、本発明の実施形態の特徴は図１に示す印刷およびプルーフ画像システムの全体にあるのではなく、そのうちの１つのブロックで示す印刷システム４０の内部構成にあるが、ここでは、カラープロファイルの従来の使用方法を説明するために、図１に示す印刷およびプルーフ画像作成システム全体についてその概要を説明する。
【００３６】
カラースキャナ１０では、原稿画像１１が読み取られて、その読み取られた原稿画像１１をあらわす、シアン（Ｃ）、マゼンタ（Ｍ）、イエロー（Ｙ）、および墨（Ｋ）からなる４色の色分解画像データが生成される。このＣＭＹＫの画像データはワークステーション２０に入力される。ワークステーション２０では、オペレータにより、入力された画像データに基づく集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００３７】
この印刷用フィルム原版からは刷版が作成され、その作成された刷版が印刷システム４０を構成する印刷機に装着される。この印刷機に装着された刷版にはインクが塗布され、その塗布されたインクが印刷用の用紙上に転写されてその用紙上に印刷画像４１が形成される。
【００３８】
このフィルムプリンタによりフィルム原版を作成し、さらに刷版を作成して印刷機に装着し、その刷版にインクを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。
【００３９】
プルーフ画像を作成するにあたっては、ワークステーション２０上の集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００４０】
このＣＭＹＫ４色の印刷用の画像データは、このパーソナルコンピュータ５０の内部で、ＬＵＴ（Ｌｏｏｋ  Ｕｐ  Ｔａｂｌｅ）の形式を持つプロファイルが参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００４１】
ここで、パーソナルコンピュータ５０の内部で参照される、ＬＵＴの形式を持つプロファイルは、印刷プロファイルとプリンタプロファイルとの結合からなるリンクプロファイルである。
【００４２】
ここでは、先ず印刷プロファイルについて説明する。
【００４３】
図１に示すワークステーションで例えば０％，１０％，……，１００％と順次変化させたＣＭＹＫ４色の網％データを生成し、前述の印刷手順に従って、そのようにして生成した網％データに基づくカラーチャートを作成する。図１に示す画像４１は、カラーチャートを表わしている画像ではないが、この画像４１に代えて多数のカラーパッチが配列されたカラーチャートを印刷したものとし、そのカラーチャートを構成する各カラーパッチを測色計７０で測色して各カラーパッチのＸＹＺ値（ＣＩＥＸＹＺ色空間上の座標値）を求める。こうすることにより、ＣＭＹＫ４色の色空間上の座標値と共通色空間（ここではＣＩＥＸＹＺ色空間）上の座標値との対応関係をあらわす印刷プロファイルが構築される。
【００４４】
図２は、印刷プロファイルの概念図である。
【００４５】
この印刷プロファイルには、ＣＭＹＫで定義された画像データが入力され、そのＣＭＹＫの画像データがＸＹＺ値で定義された画像データに変換される。ここでは、後述するＣＭＹＫと区別するためにＣ1Ｍ1Ｙ1Ｋ1と表記する。
【００４６】
次に、プリンタプロファイルについて説明する。
【００４７】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ５０で、各色について０％，１０％，…，１００％と順次変化させたＣＭＹＫ４色の網％データ（ここではＣ2Ｍ2Ｙ2Ｋ2と表記する）を生成し、そのようにして生成した網％データをプリンタ６０に送り、プリンタ６０でその網％データに基づくカラーチャートをプリント出力する。図１に示す画像６１は、カラーチャートをあらわしている画像ではないが、プリンタ６０では、この画像６１に代えて、印刷プロファイルの作成のために印刷機での印刷により作成したカラーチャートと同一タイプのカラーチャートを出力したものとし、そのカラーチャートを構成する各カラーパッチを測色計７０で測色してＸＹＺ値（ＣＩＥＸＹＺ色空間上の座標値）を得る。こうすることにより、プリンタ６０についての、Ｃ2Ｍ2Ｙ2Ｋ2４色の色空間上の座標値と共通色空間（ここではＣＩＥＸＹＺ色空間）上の座標値との対応関係をあらわすプリンタプロファイルが構築される。
【００４８】
図３は、プリンタプロファイルの概念図である。
【００４９】
このプリンタプロファイルには、Ｃ2Ｍ2Ｙ2Ｋ2の網％データが入力され、そのＣ2Ｍ2Ｙ2Ｋ2の網％データがＸＹＺの測色データに変換される。ここでは、この、Ｃ2Ｍ2Ｙ2Ｋ2の網％データをＸＹＺの測色データに変換するプリンタプロファイルをＰであらわし、その逆変換、すなわちＸＹＺの測色データをＣ2Ｍ2Ｙ2Ｋ2の網％データに変換するプリンタプロファイルをＰ-1であらわす。
【００５０】
尚、ここではプリンタ６０はＣＭＹＫの網％データに基づいて画像を出力するプリンタであるとして説明したが、例えばＲＧＢのデータに基づく画像を出力するプリンタに関しても、パーソナルコンピュータ５０で、ＲＧＢ色空間で定義されたデータを発生させてカラーチャートを出力することにより、同様にしてそのプリンタに適合したプリンタプロファイルを作成することができる。
【００５１】
ただしここでは、ＣＭＹＫの網％データに基づいて画像を出力するプリンタ６０を使用するものとして説明する。
【００５２】
尚、印刷プロファイルおよびプリンタプロファイルは１つずつしか存在しない訳ではなく、例えば印刷プロファイルは、印刷機が異なればもちろん、同じ印刷機であっても、インクの違いや印刷用紙の違いなど、異なる印刷条件ごとに作成される。
【００５３】
またこれと同様に、プリンタプロファイルも、プリンタが異なればもちろん異なり、同じプリンタであってもプリント用紙の違いなど異なるプリント条件ごとに作成される。
【００５４】
図４は、印刷プロファイルとプリンタプロファイルを結合させたリンクプロファイルを示す図である。
【００５５】
印刷用のＣ1Ｍ1Ｙ1Ｋ1の網％データを印刷プロファイルＴによりＸＹＺの測色データに変換し、次いでそのＸＹＺの測色データをプリンタプロファイルＰ-1により再び、ただし今度はプリンタ用の、Ｃ2Ｍ2Ｙ2Ｋ2の網％データに変換する。この印刷プロファイルＴとプリンタプロファイルＰ-1との結合からなるリンクプロファイルは、印刷用のＣ1Ｍ1Ｙ1Ｋ一色空間で定義された画像データをプリンタ用のＣ2Ｍ2Ｙ2Ｋ2の色空間で定義された画像データに変換するプロファイルである。
【００５６】
このように作成されたリンクプロファイルを用いて、今度はカラーチャートではなく、実際の画像を表わす画像データについて、印刷用の、Ｃ1Ｍ1Ｙ1Ｋ1の網％で表現された画像データを、プリンタ用の、Ｃ2Ｍ2Ｙ2Ｋ2の網％で表現された画像データに変換する。
【００５７】
図１に示すプリンタ６０には、このようにして得られた、Ｃ2Ｍ2Ｙ2Ｋ2の網％で表現された画像データが送られ、プリンタ６０では、その送られてきた画像データに基づいてプルーフ画像がプリント出力される。
【００５８】
上記のようにしてリンクプロファイルを作成し、そのリンクプロファイルを参照して印刷用の画像データをプリンタ用の画像データに変換して、プリンタ６０でそのプリンタ用の画像データに基づくプルーフ画像をプリント出力することにより、図１に示す印刷画像４１の仕上がりの事前確認を行なうことができる。
【００５９】
従来、印刷プロファイルは、上記のように印刷画像の事前確認用として用いられている。
【００６０】
次に、図１に示す印刷およびプルーフ画像作成システムを構成する印刷システム４０の内部構成について説明する。
【００６１】
図５は、印刷機の一部を示す模式図である。
【００６２】
印刷用紙Ｐは、それぞれ矢印方向に回転する複数のドラムにより矢印Ａ方向に搬送される。その搬送の間、インクキー４１１により調整された量のインクがロール４１２に転写され、そのロール４１２に転写されたインクが多数のロール４１３により引き延ばされて、ロール４１４に巻回された刷版に供給され、その刷版に供給されたインクが、ロール４１５に巻回された、ゴム等からなるブランケットに、その刷版に形成された画像のパターンに転写され、そのブランケット上のインクが印刷用紙Ｐ上に塗布される。
【００６３】
図５には、インク一色分の構成を示したが、印刷機の場合、この図５に示すような構成部分が、印刷用紙Ｐの搬送経路に沿ってＣ（シアン），Ｍ（マゼンタ），Ｙ（イエロー），Ｋ（墨）の４色のインクそれぞれに対応して４機（あるいは特色を含めてさらにそれ以上）備えられており、印刷用紙Ｐがそれらを通過することによってその印刷用紙Ｐ上にフルカラーの印刷画像が生成される。
【００６４】
図６は、印刷機のうちの、本発明の実施形態に関係する部分、および本発明の一実施形態としてのインク調整量指示装置として動作するコンピュータの模式図である。
【００６５】
図５にも示すロール４１２に隣接して、そのロール４１２の回転軸方向に配列された複数（例えば３０個）のインクキー４１１ａ，４１１ｂ，…，４１１ｎが配列されている。それらのインクキー４１１ａ，４１１ｂ，…，４１１ｎそれぞれの開度は、コンピュータ５１０からの指令を受けたインクキー制御部４１８により各インクキーごとに調整される。また、ロール４１２の回転速度は、コンピュータ５１０からの指令を受けたロール回転制御部４１７により制御される。インクキーにはインク供給部４１６からインクが供給され、ロール４１２および図２に示す多数のロール４１３を介して、刷版に、さらには印刷用紙上に、各インクキーの開度とロール４１２の回転速度に応じた量だけインクが供給される。
【００６６】
各インクキー４１１ａ，４１１ｂ，…，４１１ｎの開度を調整すると、ロール４１２の回転軸方向の、各インクキー４１１ａ，４１１ｂ，…，４１１ｎに対応した各部分のインク供給量が調整され、一方ロール４１２の回転速度を調整するとロール４１２の回転軸方向全域のインク供給量が調整される。尚、この図３においても、インクキー４１１ａ，４１１ｂ，…，４１１ｎ，ロール４１２、インク供給部４１６、ロール回転制御部４１７、およびインクキー制御部４１８は一色のインクに対応した構成であり、印刷機にはその構成がＣ，Ｍ，Ｙ，Ｋの４色分（あるいは特色を含めてそれ以上）備えられている。
【００６７】
ロール４１８は、ＣＭＹＫからなる４色のインクによりフルカラー画像が形成された後の印刷用紙Ｐの搬送を担うロールであり、印刷用紙Ｐ上には、本来の印刷画像Ｐ１のほか、その余白に、複数のグレーパッチＰ２が印刷されている。これらのグレーパッチＰ２は、ＣＭＹ３色からなるＣＭＹグレーパッチＰ２１と
Ｋの単一色からなるＫグレーパッチＰ２２とからなる。それらのグレーパッチは、Ｃ，Ｍ，Ｙ，Ｋのいずれについても網点面積率が例えば５０％の中間調のグレーパッチである。ＣＭＹグレーパッチＰ２１およびＫグレーパッチＰ２２は、いずれも、ロール４１２，４１８の回転軸方向について複数のインクキー４１１ａ，４１１ｂ，…，４１１ｎそれぞれに対応した位置に形成されている。
【００６８】
ロール４１８に対向して測色計５００が配備されており、この測色計５００では、複数のグレーパッチＰ２それぞれの測色値（ここではＣＩＥＸＹＺ値とする）が測定される。それらの測色値（ＣＩＥＸＹＺ値）はコンピュータ５１０に取り囲まれコンピュータ５１０では、その取り込んだ測色値に基づいてＣＭＹＫの各色インクごとのインク塗布厚を調整するための各調整値（図６に示す一色分の構成における各インクキー４１１ａ，４１１ｂ，…，４１１ｎの開度を調整するための調整値やロール４１２の回転速度を調整値や、図６に示す一色分の構成と同様の、他の色の構成における各調整値）が求められる。これらの調整値は、図６に示す一色分の構成で説明すると、この図６に示す一色分の構成におけるインクキー制御部４１８やロール回転制御部４１７に送られ、それらインクキー制御部４１８やロール回転制御部４１７では、送られてきた調整値に基づいて、それぞれ、各インクキー４１１ａ，４１１ｂ，…，４１１ｎの開度やロール４１２の回転速度が調整される。
【００６９】
尚、ここでは、測色計５００は印刷機内部に搭載されているものとして説明しているが、この測色計５００は、印刷機内部に搭載されている必要はなく、刷り上がった印刷物を、印刷機とは独立した別の測色計で測定してもよい。
【００７０】
以下では、特に断らない場合は、図６に示す構成を引用したときは、図６に示す一色分のみでなく、ＣＭＹＫの各色の対応する構成も含めて引用したものとする。
【００７１】
本発明の一実施形態としてのインク調整量指示装置は、図６に示すコンピュータ５１０と、そのコンピュータ５１０で実行される、本発明の一実施形態としてのインク調整量指示プログラムとの複合により構成されており、以下では、先ず、このコンピュータ５１０のハードウェアについて説明する。
【００７２】
図６に示すコンピュータ５１０は、外観構成上、本体装置５２０、その本体装置５２０からの指示に応じて表示画面５３０ａ上に画像を表示する画像表示装置５３０、本体装置５２０に、キー操作に応じた各種の情報を入力するキーボード５４０、および、表示画面５３０ａ上の任意の位置を指定することにより、その位置に表示された、例えばアイコン等に応じた指示を入力するマウス５５０を備えている。この本体装置５２０は、外観上、フレキシブルディスク（ＦＤ）を装填するためのＦＤ装填口５２０ａ、およびＣＤ−ＲＯＭを装填するためのＣＤ−ＲＯＭ装填口５２０ｂを有する。
【００７３】
図７は、図６に外観を示すコンピュータのハードウェア構成図である。
【００７４】
本体装置５２０の内部には、図１０に示すように、各種プログラムを実行するＣＰＵ５２１、ハードディスク装置５２３に格納されたプログラムが読み出されＣＰＵ５２１での実行のために展開される主メモリ５２２、各種プログラムやデータ等が保存されたハードディスク装置５２３、ＦＤ５６０が装填されその装填されたＦＤ５６０をアクセスするＦＤドライブ５２４、ＣＤ−ＲＯＭ５７０が装填され、その装填されたＣＤ−ＲＯＭ５７０をアクセスするＣＤ−ＲＯＭドライブ５２５、図６に示す測色計５００と接続され、測色計５００から測色・濃度データを受け取る入力インタフェース５２６、および、インクキー制御部５１８およびロール回転制御部４１７と接続されそれらインクキー制御部５１８およびロール回転制御部４１７にインク塗布厚を調整するための調整値データを送る出力インターフェース５２７が内蔵されており、これらの各種要素と、さらに図６にも示す画像表示装置５３０、キーボード５４０、マウス５５０は、バス５２８を介して相互に接続されている。
【００７５】
図８は、ＣＤ−ＲＯＭに記憶されたインク調整量指示プログラムの模式構成図である。
【００７６】
このＣＤ−ＲＯＭ５７０には、記憶部６１０、ＸＹＺ取得部６２０、べた濃度算出部６３０、調整値算出部６４０、および調整値指示部６５０からなるインク調整量指示プログラム６００が格納されている。ここで、このインク調整量指示プログラム６００を構成するべた濃度算出部６３０は、ドットゲイン算入部６３１とべた濃度推定部６３２とで構成されている。
【００７７】
ここでは、この図８に示すインク調整量指示プログラム６００を記憶したＣＤ−ＲＯＭ５７０が図６，図７に示すコンピュータ５１０のＣＤ−ＲＯＭドライブ５２５に装填され、そのＣＤ−ＲＯＭ５７０に記憶されたインク調整量指示プログラム６００がそのコンピュータ５１０にアップロードされてハードディスク装置５２３に記憶される。このハードディスク装置５２３に記憶されたインク調整量指示プログラム６００が図７に示す主メモリ５２２に展開されてＣＰＵ５２１で実行されると、このコンピュータ５１０は、本発明のインク調整量指示装置の一実施形態として動作する。
【００７８】
図８に示すインク調整量指示プログラム６００の各部６１０〜６５０の作用については後述する。
【００７９】
図９は、本発明のインク調整量指示装置の一実施形態を示す機能ブロック図である。
【００８０】
この図９に示すインク調整量指示処理装置７００は、図６，図７に示すコンピュータ５１０に図８に示すインク調整量指示プログラム６００がインストールされて実行されることによりそのコンピュータ５１０内に構築されるものである。
【００８１】
図９に示すインク調整量指示プログラム７００は、記憶部７１０と、ＸＹＺ取得部７２０と、べた濃度算出部７３０と、調整値算出部７４０と、調整値指示部７５０とから構成されている。ここで、べた濃度算出部７３０はさらに、ドットゲイン算入部７３１と、べた濃度推定部７３２とから構成されている。
【００８２】
この図９に示すインク調整量指示装置７００を構成する、記憶部７１０、ＸＹＺ取得部７２０、べた濃度算出部７３０（ドットゲイン算入部７３１およびべた濃度推定部７３２）、調整値算出部７４０、および調整値指示部７５０は、図８に示すインク調整量指示プログラム６００を構成する、それぞれ、記憶部６１０、ＸＹＺ取得部６２０、べた濃度算出部６３０（ドットゲイン算入部６３１およびべた濃度推定部６３２）、調整値算出部６４０、および調整値指示部６５０に対応するが、図９のインク調整量指示装置７００の各部７１０〜７５０は、コンピュータ５１０のハードウェアと、オペレーティングシステム（ＯＳ）と、アプリケーションプログラムとの複合で構成されているのに対し、図８のインク調整量指示プログラム６００の各部６１０〜６５０は、それらのうちのアプリケーションプログラムの部分のみから構成されている。図８のインク調整量指示プログラム６００がコンピュータ５１０にインストールされて実行されたときの、そのインク調整量指示プログラム６００の各部６１０〜６５０の作用は、図９に示すインク調整量指示装置７００の各部７１０〜７５０の作用そのものであり、以下、図９のインク調整量指示装置７００の各部７１０〜７５０の作用を説明することで、図８のインク調整量指示プログラム６００の各部６１０〜６５０の作用を兼ねるものとする。
【００８３】
尚、ここでは、図９のインク調整量指示装置７００の各部７１０〜７５０の作用を説明するにあたっても、その概要を説明するにとどめ、その詳細は、図１０，図１１を参照しての、本発明の一実施形態としてのインク調整量指示方法の説明と合わせて説明する。
【００８４】
図９に示すインク調整量指示装置７００は、図５，図６の印刷用紙Ｐ上にＣ，Ｍ，Ｙ，Ｋの４色の色インクを、図６に示すインクキー４１１ａ，４１１ｂ，…，４１１ｎの開度やロール４１２の回転速度を調整することによって（前述したとおり、図６にはＣ，Ｍ，Ｙ，Ｋのうちの一色分の構成のみ示されている）、各色インクの塗布厚を調整しながら印刷用紙Ｐ上に網点の印刷画像を出力する印刷機を用いて印刷用紙Ｐ上に印刷画像を出力する際の、各色インクの塗布厚を調整するための各調整値を指示する装置である。
【００８５】
ここで、図９のインク調整量指示装置７００の記憶部７１０には、カラープロフィル７１０ａと、写像関係７１０ｂと、対応関係７１０ｃが記憶されている。
【００８６】
カラープロファイル７１０ａは、図２を参照して説明した印刷プロファイルに相当するものであり、各色インクＣＭＹＫの網点面積率を座標軸とするデバイス色空間（ここではＣＭＹＫ色空間）上の座標値と、その座標値に対応づけられた画像データに基づいて、印刷機が所定の標準状態（各所定の色インクや所定の印刷用紙が用いられ、その印刷機の各部やその環境温湿度等が所定の標準の状態に設定された状態）にあるときにその印刷機で出力される印刷画像上の色を表わす、所定の共通色空間（ここではＣＩＥＸＹＺ色空間）上の座標値とを対応づけたものである。
【００８７】
また、写像関係７１０ｂは、印刷機で用いられるＣＭＹＫの４色のインクの色で表現されるＣＭＹＫ色空間上における、画像データに対応づけられる座標値からドットゲインを含んだ座標値への写像関係である。
【００８８】
さらに、対応関係７１０ｃは、各色インクについて網点面積率１００％に対応づけられた各単色パッチデータに基づく各単色ベタパッチを、印刷機が標準状態にあるときに上記各調整量のみその標準状態から変化させることにより各色インクの塗布厚を変化させながら各インクごとに複数出力して、各単色ベタパッチそれぞれのべた濃度を測定することにより得られた、各単色ベタパッチのベタ濃度値と上記調整値との各色インクごとの対応関係である。
【００８９】
また、図９のインク調整量指示装置７００を構成するＸＹＺ取得部７２０は、印刷機を用いて印刷用紙Ｐ上に印刷画像を出力するにあたり、その印刷用紙上に出力された、カラープロファイル７１０ａを介してＣＩＥＸＹＺ色空間上の所定の目標座標値にさらに対応づけられたＣＭＹＫ色空間上の座標値にさらに対応づけられた目標パッチデータに基づく目標カラーパッチを（ここでは、図６に示すグレーパッチＰ２がこの目標カラーパッチに相当する）測色計５００で測色することにより得られたＣＩＥＸＹＺ色空間上の座標値を取得する役割を担っている。このＸＹＺ取得部７２０は、ハードウェア上は主として、図７に示す入力インタフェース５２６がこれに相当する。
【００９０】
また、図９のインク調整量指示装置７００を構成するべた濃度算出部７３０では、ＸＹＺ取得部７２０で取得されたＣＩＥＸＹＺ色空間上の座標値と、上記の目標座標値との双方に基づいて、印刷機の現在の状態におけるベタ濃度の推定値を各色インクＣＭＹＫごとに求められる。
【００９１】
このべた濃度算出部７３０は、ドットゲイン算入部７３１とべた濃度推定部７３２とから構成されており、それらのうちドットゲイン算入部７３１では、ＸＹＺ取得部７２０で取得されたＣＩＥＸＹＺ色空間上の座標値から、カラープロファイル７１０ａに基づいてＣＭＹＫ色空間上の座標値を求め、ＣＩＥＸＹＺ色空間上の目標座標値に対応づけられたＣＭＹＫ色空間上の座標値と、ＸＹＺ取得部７２０で取得されたＣＩＥＸＹＺ色空間上の座標値からカラープロファイル７１０ａに基づいて求められたＣＭＹＫ色空間上の座標値との双方が、写像関係７０ｂに基づいて、ＣＭＹＫ色空間上の各新たな座標値へと変換される。また、べた濃度推定部７３２では、ドットゲイン算入部７３１で求められたＣＭＹＫ色空間上の２つの新たな座標値に基づいて印刷機の現在の状態におけるべた濃度の推定値が求められる。このべた濃度推定部７３２では、上記の２つの新たな座標値に基づいて印刷機の現在の状態におけるべた濃度の推定値を求めるにあたっては、それら２つの新たな座標値それぞれと印刷機が標準状態にあるときの標準べた濃度値とに基づいてそれら２つの新たな座標値に対応する２つの濃度値が求められ、それら２つの濃度値と上記標準べた濃度値とに基づいて、印刷機の現在の状態におけるべた濃度の推定値が求められる。この演算の詳細については後述する。
【００９２】
また、図９のインク調整量指示装置７００を構成する調整値算出部７４０では、記憶部７１０に記憶された対応関係７１０ｃに基づいて、べた濃度算出部７３０で求められた各色インクごとのベタ濃度の推定値から各色インクごとの各インクキーの開度の設定値および各インクごとのロール（図６のロール４１２参照）の回転速度の調整値が求められ、調整値指示部７５０では調整値算出部で求められた調整値が指示される。本実施形態では、この調整値指示部７５０では、各色インクごとの各インクキーの調整値および各色インクごとのロールの回転速度の調整値が図６に示すコンピュータ５１０の画像表示部５１０の表示画面上に表示されるとともに、それらの調整値がインクキー制御部４１８およびロール回転制御部４１７に送られて各インクキーの開度やロール回転速度が自動的に調整され、これによって印刷用紙Ｐ上への各色インクの塗布厚が自動的に調整される。
【００９３】
ただし、図９のインク調整量指示装置７００の調整値指示部７５０は、それらの調整値を表示画面上に表示することによってオペレータに向けて指示するにとどめ、インクキー制御部４１８およびロール回転制御部４１７への各インクキーの開度およびロール回転速度の指令はオペレータに委ねてもよい。
【００９４】
図９のインク調整量指示装置７００の更なる詳細は、次に説明する本発明のインク調整量指示方法の一実施形態を説明する中で説明する。
【００９５】
図１０，図１１は、本発明の一実施形態のインク調整量指示方法の処理の流れを示すブロック図およびフローチャートである。
【００９６】
先ず、図１１ステップＳ１１に示すように、印刷機を標準状態に設定する。すなわち、印刷機に、印刷を行なおうとするときの、ＣＭＹＫの各色インクを供給し、印刷を行なおうとする印刷用紙をセットし、印刷機の各部の設定をその印刷に適合する条件に設定し、温湿度等の環境も所定の環境に設定する。
【００９７】
このようにして印刷機を標準状態に設定した後、図２を参照して説明したように、カラーチャートを印刷しそのカラーチャートを構成する各カラーパッチを測色することにより、画像データ上の値（ＣＭＹＫ色空間上の座標値）と印刷画像上の測色値（ＣＩＥＸＹＺ色空間上の座標値）との対応を表わすカラープロファイル（印刷プロファイル）を作成する（図１１ステップＳ１２）。この作成されたカラープロファイルは、図６，図７に示すコンピュータ５１０に記憶される（図９の記憶部７１０のカラープロファイル７１０ａ）。
【００９８】
また、印刷機が標準状態にあるときに、各インクキーの開度の設定値のみ標準状態から変化させながら、Ｃ，Ｍ，Ｙ，Ｋの各単色の網点面積率が１００％の単色パッチを各インクキーに対応した領域に印刷し、それらの単色パッチの濃度（べた濃度）を測定し、これにより、インクキーの開度の設定値とＣＭＹＫべた濃度との対応関係を求める（ステップＳ２１）。ＣＭＹＫのうちの１色のインクの１つのインクキーごとに作成される。図１０（Ｃ）には、一色のインクの１つのインクキーに関する対応関係が示されている。
【００９９】
このステップＳ２１で求められた対応関係も図６，図７に示すコンピュータ５１０に記憶される（図９の記憶部７１０の対応関係７１０ｃ）。
【０１００】
尚、図６を参照して説明したように、インク塗布厚はインクキーの開度とロール回転速度との双方によって調整されるが、ここでは説明を単純化するため、ロールの回転速度は標準状態のままとし、インクキーの開度の調整によってインク塗布厚を調整するものとして説明している。
【０１０１】
ロール回転速度の調整と各インクキーの開度の調整との双方によりインク塗布厚を調整する場合については後述する。
【０１０２】
また、ステップＳ３１において、以下のようにしてドットゲイン算入前後の写像関係が求められる。
【０１０３】
ここでは、Ｍ（マゼンタ），Ｙ（イエロー），Ｋ（墨）の網％（これを単に例えばマゼンタに関して、Ｍ＝○％のように表現することがある。Ｙ，ＫおよびＣ（シアン）に関しても同様である）を、Ｍ＝Ｙ＝Ｋ＝０％に保ったまま、Ｃ＝０％，１０％，２０％，…，１００％のように変化させ、上記のカラープロファイルを参照して、（Ｃ，Ｍ，Ｙ，Ｋ）＝（０％，０％，０％，０％），（１０％，０％，０％，０％），（２０％，０％，０％，０％），…，（１００％，０％，０％，０％）に対応した、ＣＩＥＸＹＺのうちのＸの値を求め、以下の式
【０１０４】
【数１】
2004195698.tif 000003
【０１０５】
に従ってＣ′を求める。この（２）式中、Ｘ１００はカラープロファイルによって（Ｃ，Ｍ，Ｙ，Ｋ）＝（１００％，０％，０％，０％）に対応づけられたＣＩＥＸＹＺのうちのＸの値であり、Ｘ０は、同じカラープロファイルによって（Ｃ，Ｍ，Ｙ，Ｋ）＝（０％，０％，０％，０％）に対応づけられたＣＩＥＸＹＺのうちのＸの値である。ここで、（１）式に従って求めたＣ′を、（１）式中のＸの値をカラープロファイルを参照して求めた際のＣに対応づける。例えば（Ｃ，Ｍ，Ｙ，Ｋ）＝（２０％，０％，０％，０％）を基にカラープロファイルを参照してＸ２０を求め、（１）式に従って、
【０１０６】
【数２】
2004195698.tif 000004
【０１０７】
が求められた場合、Ｃ＝２０％とＣ′＝２４％とを対応づける。このときのＣ＝２０％は、ドットゲインを算入する前の画像データ上の網％、Ｃ′＝２４％は、ドットゲインを算入した後の網％である。
【０１０８】
Ｃ（シアン）のみでなく、Ｍ（マゼンタ），Ｙ（イエロー），Ｋ（墨）についても同様であり、Ｍ（マゼンタ）については、Ｃ＝Ｙ＝Ｋ＝０％に固定するとともにＭ＝０％，１０％，２０％，…，１００％と変化させカラープロファイルを参照してＣＩＥＸＹＺのうちのＹを求め、
【０１０９】
【数３】
2004195698.tif 000005
【０１１０】
但し、Ｙ１００，Ｙ０は、Ｍ＝１００％，０％（Ｃ＝Ｙ＝Ｋは常に０％）のときのＣＩＥＸＹＺのうちのＹの値である。
に従ってドットゲイン算入後のＭ′を求めて、ドットゲイン算入前のＭと算入後のＭ′とを対応づけ、Ｙ（イエロー）については、Ｃ＝Ｍ＝Ｋ＝０％に固定するとともにＹ＝０％，１０％，２０％，…，１００％と変化させカラープロファイルを参照してＣＩＥＸＹＺのうちのＺの値を求め、
【０１１１】
【数４】
2004195698.tif 000006
【０１１２】
但し、Ｚ１００，Ｚ０は、Ｙ＝１００％，０％（Ｃ＝Ｍ＝Ｋは常に０％）のときのＣＩＥＸＹＺのうちのＺの値である。
に従ってドットゲイン算入後のＹ′を求めて、ドットゲイン算入前のＹと算入後のＹ′とを対応づけ、Ｋ（墨）については、Ｃ＝Ｍ＝Ｙ＝０％に固定するとともにＫ＝０％，１０％，２０％，…，１００％と変化させカラープロファイルを参照してＣＩＥＸＹＺのうちのＹの値を求め、
【０１１３】
【数５】
2004195698.tif 000007
【０１１４】
但し、Ｙ１００，Ｙ０は、Ｋ＝１００％，０％（Ｃ＝Ｍ＝Ｙは常に０％）のときのＣＩＥＸＹＺのうちのＹの値である。
に従ってドットゲイン算入後のＫ′を求めて、ドットゲイン算入前のＫと算入後のＫ′とを対応づける。
【０１１５】
図１１のステップＳ３１では、このようにして、ＣＭＹＫ色空間上での、ドットゲイン算入前の画像データ上の座標値からドットゲイン算入後の座標値への写像関係が求められる。この写像関係も、図６，図７に示すコンピュータ５１０に記憶される（図９に示す記憶部７１０の写像関係７１０ｂ）。
【０１１６】
尚、ここでは、ステップＳ１１で求めたカラープロファイルを参照して、計算上でドットゲイン算入前後の写像関係を求めたが、上述の画像データ（例えばＣ（シアン）に関してはＭ＝Ｙ＝Ｋ＝０％に固定してＣ＝０％，１０％，２０％，…，１００％と変化させた複数の単色パッチを表わす画像データ。Ｍ，Ｙ，Ｋについても同様）に基づく単色パッチを印刷機で印刷しその印刷用紙上にあらわれた単色パッチの網点面積率を測定することによりドットゲイン算入後のＣ′，Ｍ′，Ｙ′，Ｋ′を求め、ドットゲイン算入前の画像データ上のＣ，Ｍ，Ｙ，Ｋと実測により求めたドットゲイン算入後のＣ′，Ｍ′，Ｙ′，Ｋ′とを対応づけることにより、ドットゲイン算入前後の写像関係を求めてもよい。
【０１１７】
以上の各ステップＳ１１，Ｓ１２，Ｓ２１，Ｓ３１は準備段階のステップであり、このような準備が終了した後、実際の画像印刷の場面に移る。
【０１１８】
ここでは、図６に示すように、実際に必要な印刷画像Ｐ１のほか、印刷用紙Ｐの余白の、各インクキーに対応した位置に、その印刷画像Ｐ１にとって重要な中間調のグレーパッチＰ２が印刷される。これらのグレーパッチＰ２には、前述したように、ＣＭＹの３色のインクが重畳された、例えばＣ＝Ｍ＝Ｙ＝５０％のＣＭＹグレーパッチと、Ｋの単色インクからなる、例えばＫ＝５０％のＫグレーパッチが含まれている。これらのグレーパッチＰ２は、印刷用紙ＰのそれらのグレーパッチＰ２が測色計５００の位置を通過するときにその測色計５００によって測定されＣＩＥＸＹＺ値が求められる（図１１ステップＳ４１ａ，Ｓ４１ｂ）。
【０１１９】
このＣＩＥＸＹＺ値は、図６に示すコンピュータ５１０に伝送されて図９のＸＹＺ取得部７２０で取り込まれる。
【０１２０】
そのコンピュータ５１０内では、図９に示す記憶部７１０に記憶されたカラープロファイル７１０ａが参照され、ＸＹＺ取得部７２０で取得したＣＩＥＸＹＺ値のうちの、ＣＭＹグレーパッチを測定して得たＸＹＺ値から、Ｋ＝０％の拘束条件の下でデバイス信号（ＣＭＹＫ色空間上の座標値）であるＣＭＹ値が算出され（ステップＳ４２ａ）、また、Ｋグレーパッチを測定して得たＸＹＺ値から、Ｃ＝Ｍ＝Ｙ＝０％の拘束条件の下でデバイス信号Ｋが算出される（ステップＳ４２ｂ）このデバイス信号ＣＭＹＫの算出の際、測色計５００での測色により得られたＣＩＥＸＹＺ値からデバイス信号ＣＭＹＫを求めるだけでなく、それと同様にして、その測色計５００で測定する対象であるグレーパッチの目標となるＣＩＥＸＹＺ値も、その同じカラープロファイルに基づいてデバイス信号ＣＭＹＫ＿ｔａｒに変換される。ここで‘＿ｔａｒ’は目標（ターゲット）であることを示す添字である。
【０１２１】
尚、この目標値としてのデバイス信号ＣＭＹＫ＿ｔａｒは、グレーパッチを作成するため用いた画像データそのものであり、その画像データ自体を記憶しておいたときは、目標ＣＩＥＸＹＺからＣＭＹＫ＿ｔａｒへの変換は不要である。
【０１２２】
次に、コンピュータ５１０内では、このようにして求めたデバイス信号ＣＭＹＫおよびＣＭＹＫ＿ｔａｒの双方について図９の記憶部７１０に記憶された写像関係７１０ｂ（図１０（Ｂ）にシアン（Ｃ）に関しその一例を示す）に基づいて、ドットゲイン補正が行なわれ、ドットゲインを含んだ補正デバイス信号Ｃ′Ｍ′Ｙ′Ｋ′，Ｃ′Ｍ′Ｙ′Ｋ′＿ｔａｒが算出される（ステップＳ４３ａ，Ｓ４３ｂ）。これらのステップＳ４３ａ，Ｓ４３ｂの処理は、図９に示すインク補正量指示装置７００のべた濃度算出部７３０を構成するドットゲイン算入部７３１での処理である。
【０１２３】
次に、ステップＳ４４ａ，Ｓ４４ｂでは、ドットゲインを含んだ補正デバイス信号Ｃ′Ｍ′Ｙ′Ｋ′，Ｃ′Ｍ′Ｙ′Ｋ′＿ｔａｒから濃度値が算出される。ここでは、補正デバイス信号から濃度値を求めるにあたっては、以下のマーレー・デービスの式を採用する。目標ＣＩＥＸＹＺから求めたデバイス信号ＣＭＹＫ＿ｔａｒにドットゲインを算入した補正デバイス信号Ｃ′Ｍ′Ｙ′Ｋ′＿ｔａｒのうちのシアンＣ′＿ｔａｒについて示すと、
【０１２４】
【数６】
2004195698.tif 000008
【０１２５】
である。ここでＤc１００は、印刷機がインクキーの開度を含め全て標準状態にあるときの網点面積率１００％のシアン（Ｃ）の単色パッチのべた濃度である。このべた濃度Ｄc１００は、図１１のステップＳ２１で求められて図９の記憶部７１０に記憶されている対応関係７１０ｃ（インク塗布厚を調整するためのインクキーの開度の設定値とべた濃度との対応関係）中に含まれる、インクキーが標準の開度に設定されているときの単色パッチのべた濃度である。
【０１２６】
上記（６）式に基づいて、ドットゲインを含んだ補正デバイス信号Ｃ′＿ｔａｒが濃度値Ｄcp＿ｔａｒに換算される。
【０１２７】
また、これと同様に、図６に示すグレーパッチＰ２を測定して得た測定ＣＩＥＸＹＺから求めたデバイス信号ＣＭＹＫにドットゲインを算入した補正デバイス信号Ｃ′Ｍ′Ｙ′Ｋ′についても、補正デバイス信号Ｃ′について示すと、
【０１２８】
【数７】
2004195698.tif 000009
【０１２９】
に従って補正デバイス信号Ｃ′に対応する濃度値Ｄcpが求められる（ステップＳ４４ａ）。
【０１３０】
ここで、補正デバイス信号Ｃ′は、補正デバイス信号Ｃ′＿ｔａｒと比べ一般に異なる網％値を示すが、網％値が変化したのは見かけ上であって実際上はインク塗布厚が変化したことによる濃度変化であり、網点面積率は一定であると考えられる（実際には、インク塗布厚が変化すると印刷画像上での網点面積率も若干は変化するが、その変化は小さいと考えられる）。
【０１３１】
そこで、ここでは、（６）式と（７）式から算出した２つの濃度値Ｄcp＿tar，Ｄcpから、補正デバイス信号Ｃ′＿ｔａｒ，Ｃ′が相互に同一と見なして（Ｃ′＿ｔａｒ＝Ｃ′）、印刷機の現在の状態におけるべた濃度値Ｄc１００′を求める（ステップＳ４５ａ）。
【０１３２】
【数８】
2004195698.tif 000010
【０１３３】
以上の（６）〜（８）式の演算はシアン（Ｃ）に関するものであるが、マゼンタ（Ｍ），イエロー（Ｙ），墨（Ｋ）についても同様である。
【０１３４】
すなわち、マゼンタ（Ｍ）については、
【０１３５】
【数９】
2004195698.tif 000011
【０１３６】
【数１０】
2004195698.tif 000012
【０１３７】
但し、ＤM１００は、印刷機がインクキーの開度を含め標準状態にあるときのマゼンタの網点面積率１００％の単色パッチのべた濃度である。
に基づいて、Ｍ′＿ｔａｒ，Ｍ′にそれぞれ対応した濃度値ＤMP＿tar，ＤMP＿が算出され（ステップＳ４４ａ）、式
【０１３８】
【数１１】
2004195698.tif 000013
【０１３９】
に従って、印刷機の現在の状態におけるべた濃度値ＤM＿１００′が算出される（ステップＳ４５ａ）。
【０１４０】
また、イエロー（Ｙ）については、
【０１４１】
【数１２】
2004195698.tif 000014
【０１４２】
【数１３】
2004195698.tif 000015
【０１４３】
但し、ＤY１００は、印刷機がインクキーの開度を含め標準状態にあるときのイエローの網点面積率１００％の単色パッチのべた濃度である。
に基づいて、Ｙ′＿ｔａｒ，Ｙ′にそれぞれ対応した濃度値ＤYP＿tar，ＤYPが算出され（ステップＳ４４ａ）、式
【０１４４】
【数１４】
2004195698.tif 000016
【０１４５】
に従って、印刷機の現在の状態におけるべた濃度値ＤY＿１００′が算出される（ステップＳ４５ａ）。
【０１４６】
さらに、墨（Ｋ）についても、
【０１４７】
【数１５】
2004195698.tif 000017
【０１４８】
【数１６】
2004195698.tif 000018
【０１４９】
但し、ＤK１００は、印刷機がインクキーの開度を含め標準状態にあるときの墨（Ｋ）の網点面積率１００％の単色パッチのべた濃度である。
に基づいて、Ｋ′＿ｔａｒ，Ｋ′にそれぞれ対応する濃度値ＤKP＿tar，ＤKPが算出され（ステップＳ４４ｂ）、式
【０１５０】
【数１７】
2004195698.tif 000019
【０１５１】
に従って、印刷機の現在の状態におけるべた濃度値ＤK＿１００′が算出される（ステップＳ４５ｂ）。これらステップＳ４４ａ，Ｓ４４ｂ，Ｓ４５ａ，Ｓ４５ｂの処理は、図９に示すインク調整量指示装置７００のべた濃度算出部７３０を構成するべた濃度推定部７３２で行われ、上記の（６）〜（１７）式に従って、印刷機の現在の状態におけるべた濃度の推定値ＤC１００′，ＤM１００′，ＤY１００′，ＤK１００′が求められる。
【０１５２】
前述したように、図６に示すグレーパッチＰ２には、インクキーの配列数と同数のＣＭＹグレーパッチＰ２１とやはりインクキーの配列数と同様のＫグレーパッチＰ２２が含まれており、ステップＳ４１ａ，Ｓ４１ｂ〜ステップＳ４５ａ，Ｓ４５ｂの処理は、配列された複数のインクキー（図６に示す一色分のインクキー４１１ａ，４１１ｂ，…，４１１ｎを参照）のそれぞれについて行なわれ、Ｃ，Ｍ，Ｙ，Ｋの各色インクかつ配列された各インクキーについてべた濃度の推定値が求められる。
【０１５３】
図１１のステップＳ４６では、ステップＳ２１で求められた対応関係、すなわち、図９のインク調整量指示装置７００の記憶部７１０に記憶された対応関係７１０ｃ（図１０（ｃ）参照）に基づいて、べた濃度の推定値からインクキーの調整値Ｍが求められる。
【０１５４】
このインクキーの調整値Ｍは、１色のインクの１つのインクキーについて、
Ｍ＝ｆ（Ｄ１００´，Ｄ１００）……（１８）
と表現することができる。ここで、Ｍは、その１色のインクのその１つのインクキーの調整値、Ｄ１００´は、その１色のインクのその１つのインクキーに対応するべた濃度の推定値、Ｄ１００は、インクキーの開度の設定値を含めその印刷機の全てが標準状態にあるときの、その１色のインクのその１つのインクキーに対応するべた濃度の測定値である。
【０１５５】
図１２は、図９のインク調整量指示装置７００の記憶部７１０に記憶された対応関係７１０ｃ、すなわち、べた濃度とインクキーの開度の設定値との対応関係を示す図である。
【０１５６】
図１１のステップＳ４６では、上記（１８）式に示すように、べた濃度の推定値Ｄ１００′と標準状態にあるときのべた濃度値Ｄ１００との双方に基づいて、標準状態におけるべた濃度と同一のべた濃度を得られるようにインクキーの開度を調整するための調整値Ｍが求められる。このステップＳ４６の処理は、図９のインク調整量指示装置７００の調整値算出部７４０に相当する。
【０１５７】
このステップＳ４６における調整値Ｍの算出は、ＣＭＹＫの各色インクごとかつ各インクキーごとに行なわれる。
【０１５８】
図１１のステップＳ４７（図９のインク調整量指示装置７００の調整値指示部７５０）では、ステップＳ４６（図９のインク調整量指示装置７００の調整値算出部７４０）で求められる調整値Ｍがコンピュータ５１０の表示画面上に表示されるとともに、ＣＭＹＫの各色インクに対応したインクキー制御部（図６には一色分のインクキー制御部４１８が示されている）に送られてＣＭＹＫの各色インクの各インクキーの開度が調整される。
【０１５９】
図１３は、図６，図７に示すコンピュータ５１０の表示画面５３０ａ上に表示されるインクキー開度調整値Ｍを示す図である。
【０１６０】
ここには、ＣＭＹＫの各色インクごと、かつ各インクキー（ここでは番号１〜番号１３の１３のインクキー）ごとの調整値Ｍが示されている。「＋０」は、そのインクキーの開度は今のままでよいことを表わしており、「＋１」はそのインクキーの開度を＋１ステップだけ調整すべきことを表わしており、「−１」はそのインクキーの開度を−１ステップだけ調整すべきことを表わしている。「＋２」，「−２」等も同様である。
【０１６１】
尚、本実施形態では、今のインクキーの開度を「＋０」とし、今の開度からの相対的な調整値（「＋１」、「−２」等）を表示するように構成したが、今の開度からの相対値ではなく例えばインクキー全閉を基準としたときのインクキーの開度の絶対的な値を求めて表示してもよい。
【０１６２】
本実施形態では、上述したように、各インクキーの開度の調整値が表示されるたけでなく、それらの調整値がＣＭＹＫの各色インクごとのインクキー制御部（図６のインクキー制御部４１８参照）に送られて各インクキーの開度が調整される。
【０１６３】
ただし、図９のインク調整量指示装置７００の調整値指示部７５０では、図１３に示すように他コンピュータ５７０の表示画面上に調整値を表示することによってオペレータに向けて指示するにとどめ、図６のインクキー制御部４１８等、ＣＭＹＫの各色インクに対応するインクキー制御部に向けたインクキー開度指令の発信はオペレータに委ねてもよい。
【０１６４】
次に、インクキー開度のみでなく、インクキー開度とともにロールの回転速度を制御することによりインク塗布厚を調整する場合について説明する。
【０１６５】
この場合、図１１のステップＳ２１において、標準状態にある印刷機を用い、インクキーの開度だけでなくロール（図６のロール４１２に相当する、ＣＭＹＫの各色インク供給用の各ロール）の回転速度を標準状態から変化させて、ＣＭＹＫ各色インクの単色のべた（網点面積率１００％）の単色パッチを印刷し、それらの各単色パッチの濃度を測定し、べた濃度とインクキー開度の設定値との対応関係（図１２参照）のみでなく、べた濃度とロールの回転速度設定値との対応関係をＣＭＹＫの各色インクごとに求める。これらの対応関係は、図９の記憶部７１０に記憶しておく。
【０１６６】
図１４は、べた濃度とロール回転速度設定値との間の、一色分の対応関係を示す概念図である。
【０１６７】
ロールの回転速度とインクキーの開度との双方を調整することによりインク塗布厚を調整するときは、各インクキーに対応するべた濃度の推定値（図１１のステップＳ４５ａ，Ｓ４５ｂ（図９のべた濃度算出部７３０）で算出された推定値）を、各ロールに対応する一連のインクキー（例えば図６に示すロール４１２に対応する一連のインクキー４１１ａ，４１１ｂ，…，４１１ｎ）に関するべた濃度推定値の平均値Ｄ１００′aveを求めて、そのべた濃度推定値の平均値Ｄ１００′aveと印刷機がインクキーの開度およびロールの回転速度も含めて標準状態にあるときのべた濃度Ｄ１００とに基づいて図１４に示す回転速度補正値Ｍ′を求める。また、そのロールに対応する各インクキーについては、べた濃度推定値Ｄ１００′を以下のようにして新たな推定値に補正する。
【０１６８】
新たな推定値Ｄ１００′＝
元々の推定値Ｄ１００′−（Ｄ１００′ave−Ｄ１００）  ……（１８）
個々のインクキーについては、この（１８）式に基づいて求めた新たな推定値Ｄ１００′を用い、図１２に示すようなべた濃度とインクキー設定値との対応関係からインクキーの調整値Ｍを求める。
【０１６９】
図１１のステップＳ４７（図９の調整値指示部７５０）では、上記のようにして求めたＣＭＹＫの各色インクに対応するロール回転速度の各調整値Ｍを、ＣＭＹＫの各色インクに対応する各ロールの回転速度を制御する各ロール速度制御部（図６の一色分の構成におけるロール速度制御部４１７参照）に送って各ロールの回転速度を調整させるとともに各インクキーの各調整値Ｍを、ＣＭＹＫに対応する調整値Ｍごとにそれらの各色インクに対応する各インクキー制御部（図６の一色分の構成におけるインクキー制御部４１８参照）に送って各インクキーの開度を調整させる。また、それとともに、コンピュータ５１０の表示画面上に、図１３に示す各インクキーの調整値を表示するとともにロール回転速度の調整値を表示する。
【０１７０】
図１５は、ロール回転速度調整値の表示例を示す図である。
【０１７１】
ここには、ＣＭＹＫの各色インクの塗布を担当する各ロールについて、それぞれ、回転速度２．０ステップを上げるべきこと、回転速度１．０ステップを上げるべきこと、回転速度２．０ステップを下げるべきこと、および回転速度１．０ステップを上げるべきこと、が示されている。
【０１７２】
ここまで説明してきた実施形態の場合、べた濃度と設定値との対応関係を求めておき、中間調のグレーパッチの測色値からべた濃度の推定値を求め、そのべた濃度の推定値からインク塗布厚調整のための調整値を求めており、この場合、中間調のグレーパッチの網点面積率はその印刷画像の特質に応じて変更することができる。
【０１７３】
次に、図８〜図１５を参照して説明してきた第１実施形態に代わる本発明の第２実施形態について説明する。
【０１７４】
図１６は、ＣＤ−ＲＯＭに記憶された本発明の第２実施形態としてのインク調整量指示プログラムの模式構成図である。
【０１７５】
このＣＤ−ＲＯＭ５７０には、記憶部８１０、ＸＹＺ取得部６２０、座標写像部８３０、調整値算出部８４０、および調整値指示部８５０からなるインク調整量指示プログラム８００が格納されている。
【０１７６】
ここでは、この図１６に示すインク調整量指示プログラム８００を記憶したＣＤ−ＲＯＭ５１０が、図６、図７に示すコンピュータ５１０のＣＤ−ＲＯＭドライブ５２５に装填され、そのＣＤ−ＲＯＭ５７０に記憶されたインク調整量指示プログラムがそのコンピュータ５１０にアップロードされてハードディスク装置５２３に記憶される。このハードディスク装置５２３に記憶されたインク調整量指示プログラム８００が図７に示すメモリ５２２に展開されてＣＰＵ５２１で実行されると、このコンピュータ５１０は、本発明の第２実施形態としてのインク調整量指示装置として動作する。
【０１７７】
図１６に示すインク調整量指示プログラム８００の各部８１０〜８５０の作用については後述する。
【０１７８】
図１７は、本発明の第２実施形態としてのインク調整量指示装置を示す機能ブロック図である。
【０１７９】
図１７に示すインク調整量指示装置９００は、図６、図７に示すコンピュータ５１０に図１６に示すインク調整量指示プログラム８００がインストールされて実行されることによりそのコンピュータ５１０内に構築されるものである。
【０１８０】
図１７に示すインク調整量指示装置９００は、記憶部９１０と、ＸＹＺ取得部９２０と、座標写像部９３０と、調整値算出部９４０と、調整値指示部９５０とから構成されている。
【０１８１】
この図１７に示すインク調整量指示装置９００を構成する、記憶部９１０、ＸＹＺ取得部９２０、座標写像部９３０、調整値算出部９４０、および調整値指示部９５０は、図１６に示すインク調整量指示プログラム８００を構成する、それぞれ、記憶部８１０、ＸＹＺ取得部８２０、座標写像部８３０、調整値算出部８４０、および調整値指示部８５０に対応するが、図１７のインク調整量指示装置９００の各部９１０〜９５０は、コンピュータ５１０のハードウェアと、オペレーティングシステム（ＯＳ）と、アプリケーションプログラムとの複合で構成されているのに対し、図１６のインク調整量指示プログラム８００の各部８１０〜８５０は、それらのうちのアプリケーションプログラムの部分のみから構成されている。図１６のインク調整量指示プログラム６００がコンピュータ５１０にインストールされて実行されるときの、そのインク調整量指示プログラム８００の各部８１０〜８５０の作用は、図１７に示すインク調整量指示装置９００の各部９１０〜９５０の作用そのものであり、以下、図１７のインク調整量指示装置７００の各部７１０〜７５０の作用を説明することで、図１６のインク調整量指示プログラム８００の各部８１０〜８５０の作用の説明を兼ねるものとする。
【０１８２】
尚、ここでも前述の第１実施形態の場合と同様、図１７のインク調整量指示装置９００の各部９１０〜９５０の作用を説明するにあたってもその概要を説明するにとどめ、その詳細は、図１８、図１９を参照しての、本発明の第２実施形態としてのインク調整量指示方法の説明と合わせて説明する。
【０１８３】
図１７に示すインク調整量指示装置９００は、ＣＭＹＫの各色インクの塗布厚を調整しながら、図５、図６に示す印刷用紙上に網点の印刷画像を出力する印刷機を用いてその印刷用紙Ｐ上に網点の印刷画像を出力する際の、ＣＭＹＫの各色インクの塗布厚を調整するための各調整値を指示する装置である。ここで、各色インクの塗布厚は、前述したように、図６に示すインクキー４１１ａ，４１１ｂ，…，４１１ｎの開度やロール４１２の回転速度を調整することによって行なわれる（図６には、ＣＭＹＫのうちの一色分の構成のみ示されている）。
【０１８４】
ここで、図１７のインク調整量指示装置９００の記憶部９１０には、カラープロフィル９１０ａと、対応関係９１０ｂとが記憶されている。
【０１８５】
カラープロファイル９１０ａは、図２を参照して説明した印刷プロファイルに相当するものであり、各色インクＣＭＹＫの網点面積率を座標軸とするデバイス色空間（ここではＣＭＹＫ色空間）上の座標値と、その座標値に対応づけられた画像データに基づいて、印刷機が所定の標準状態（各所定の色インクや所定の印刷用紙が用いられ、その印刷機の各部やその環境温湿度等が所定の標準の状態に設定された状態）にあるときにその印刷機で出力される印刷画像上の色を表わす、所定の共通色空間（ここではＣＩＥＸＹＺ色空間）上の座標値とを対応づけたものである。
【０１８６】
また、上記のカラープロファイルを介してＣＩＥＸＹＺ色空間上の所定の目標座標値（典型的には中間調に相当する座標値）に対応づけられた、その印刷機のＣＭＹＫの各色インクの色空間（ＣＭＹＫ色空間）上の座標値にさらに対応づけられた目標パッチデータ（ここでは、例えばＣ，Ｍ，Ｙ，Ｋとも網点面積率５０％等の中間調のパッチを表わすパッチデータ）であり、シアン（Ｃ）のインクとマゼンタ（Ｍ）のインクとイエロー（Ｙ）のインクとが重畳されたＣＭＹグレーパッチと墨（Ｋ）のインクのみのＫグレーパッチとを表わすパッチデータ）に基づくＣＭＹグレーパッチおよびＫグレーパッチを、印刷機が標準状態にあるときにインクキーの開度の設定値のみ標準状態から変化させることにより各色インクの塗布厚を変化させながら複数出力し、各ＣＭＹグレーパッチおよび各Ｋグレーパッチを測色してＣＩＥＸＹＺ色空間上の各座標値（各ＸＹＺ値）を求め、その求められたＣＩＥＸＹＺ色空間上の各座標値（各ＸＹＺ値）を上記のカラープロファイルに基づいてＣＭＹＫ色空間上の座標値（ＣＭＹＫ値）に変換する。
【０１８７】
このようにして得られたＣＭＹＫ色空間上の座標値と上記の設定値とをＣＭＹＫの各色インクごとに対応づける。図１７の記憶部９１０に記憶された対応関係９１０ｂは、上記のようにして得られたＣＭＹＫ色空間上の座標値と上記の設定値とのＣＭＹＫの各色インクごとかつ各インクキーごとの対応関係を表したものである。
【０１８８】
また、図１７のインク調整量指示装置９００を構成するＸＹＺ取得部９２０は、印刷機を用いて印刷用紙Ｐ上に印刷画像を出力するにあたりその印刷用紙Ｐ上に出力された、上記の目標パッチデータに基づくＣＭＹグレーパッチおよびＫグレーパッチ（ここでは、図６に示すグレーパッチＰ２（ＣＭＹグレーパッチＰ２１およびＫグレーパッチＰ２２）を測色計５００で測色することにより得られたＣＩＥＸＹＺ色空間上の座標値をその測色計５００から受け取る役割りを担っている。このＸＹＺ取得部７２０は、ハードウェア上は、主として図７に示す入力インタフェース５２６がその役割りを担っている。
【０１８９】
また、図１７のインク調整量指示装置９００の座標写像部９３０では、ＸＹＺ取得部９２０で受け取ったＣＩＥＸＹＺ色空間上の座標値（ＸＹＺ値）から、記憶部９１０に記憶されたカラープロファイル９１０ａに基づいて、ＣＭＹＫ色空間上の座標値が求められる。
【０１９０】
また、図１７のインク調整量指示装置９００の調整値算出部９４０では、記憶部９１０に記憶された対応関係９１０ｂ（ＣＭＹＫ色空間上の座標値とインク塗布厚調整のためのインクキー開度の調整値との対応関係）に基づいて、座標写像部９３０で求められたＣＭＹＫ色空間上の座標値を構成するＣＭＹＫの各値から各色インクごとかつ各インクキーごとの各調整値が求められる。
【０１９１】
さらに、図１７のインク調整量指示装置９１０を構成する調整値指示部９５０では、調整値算出部９４０で求められた調整値が指示される。
【０１９２】
本実施形態では、この調整値指示部９５０では、各色インクごとの各インクキーの調整値が図６に示すコンピュータ５１０の画像表示部５１０の表示画面上に表示されるとともに、それらの調整値が、各色インクに対応する調整値ごとに、各色インクごとのインクキー制御部（図６には一色分のインクキー制御部４１８が示されている）に送られて各インクキーの開度が自動的に調整され、これによって印刷用紙Ｐ上への各色インクの塗布厚が自動的に調整される。
【０１９３】
ただし、図１７のインク調整量指示装置９００の調整値指示部９５０ではそれらの調整値を表示画面上に表示することによってオペレータに向けて指示するにとどめ、インクキー制御部への各インクキーの開度の指令はオペレータに委ねてもよい。
【０１９４】
図１７のインク調整量指示装置９００の更なる詳細は、次に説明する本発明の第２実施形態のインク調整量指示方法を説明する中で説明する。
【０１９５】
図１８，図１９は、本発明の第２実施形態のインク調整量指示方法の処理の流れを示すブロック図およびフローチャートである。
【０１９６】
図１９のステップＳ５１，Ｓ５２は、前述の第１実施形態における図１１のステップＳ１１，Ｓ１２と同じである。すなわち、ここでは印刷機が標準状態に設定され、その標準状態にある印刷機でカラーチャートが印刷され測色されて画像データ上の値（ＣＭＹＫ色空間上の座標値）と印刷画像上の測色値（ＣＩＥＸＹＺ色空間上の座標値）との対応を表わすカラープロファイルが作成される。この作成されたカラープロファイルは、図６、図７に示すコンピュータ５７０に記憶される（図１７の記憶部９１０のカラープロファイル９１０ａ）。
【０１９７】
また、図１９のステップＳ６１では、印刷機が標準状態にあるときに、各インクキーの開度の設定値のみ標準状態から変化させながら、例えばＣＭＹＫのいずれについても網点面積率が５０％の所定の目標パッチデータに基づくＣＭＹグレーパッチおよびＫグレーパッチを各インクキーに対応して印刷し、それらのＣＭＹグレーパッチおよびＫグレーパッチを測色してＣＩＥＸＹＺ色空間上の各座標値（ＸＹＺ値）を求め、それらの各座標値（ＸＹＺ値）をステップＳ５２で作成したカラープロファイルに基づいてＣＭＹＫ色空間上の座標値に変換し、これにより各インクキーの開度の設定値とＣＭＹグレーパッチおよびＫグレーパッチのＣＭＹＫ色空間上の値（ＣＭＹＫ値）との対応関係を求める。
【０１９８】
このステップＳ６１で求められた対応関係も、図６、図７に示すコンピュータ５１０に記憶される（図１７の記憶部９１０の対応関係９１０ｂ）。
【０１９９】
尚、図６を参照して説明したように、インク塗布厚はインクキーの開度とロール回転速度との双方によって調整されるが、ここでは説明を単純化するため、ロールの回転速度は標準状態のままとし、インクキーの開度の調整のみによってインク塗布厚を調整するものとして説明している。
【０２００】
ただし、前述の第１実施形態で説明したようにして、ロール回転速度の調整と各インクキーの開度の調整との双方によりインク塗布厚を調整してもよい。
【０２０１】
本実施形態では以上の各ステップＳ５１，Ｓ５２，Ｓ６１が準備段階のステップであり、このような準備が終了した後、実際の画像印刷の場面に移る。
【０２０２】
印刷用紙Ｐ上に実際に画像を印刷する際には、図６に示すように、実際に必要な印刷画像Ｐ１のほか、印刷用紙Ｐの余白にステップＳ６１において対応関係を求める際に用いた目標パッチデータと同一の網点面積率（ここでは、上述したように、例えばＣＭＹＫの各色インクとも網点面積率５０％）の目標パッチデータに基づく中間調のグレーパッチＰ２（Ｃ，Ｍ，Ｙのインクが重畳されたＣＭＹグレーパッチＰ２１とＫインク単色のＫグレーパッチＰ２２）が印刷される。
【０２０３】
ここでは、ＣＭＹグレーパッチＰ２１とＫグレーパッチＰ２２は、図６に示されたように配列された複数のインクキー４１１ａ，４１１ｂ，…，４１１ｎにそれぞれに対応してそれぞれ１つずつ印刷される。これらのグレーパッチＰ２は、測色計５００の位置を通過するときにその測色計５００によって測色され、ＣＩＥＸＹＺ色空間上の座標値（ＸＹＺ値）が算出される（図１９ステップＳ７１ａ，Ｓ７１ｂ）。このＣＩＥＸＹＺ値は、図６に示すコンピュータ５１０に伝送されてそのコンピュータ５１０に取り込まれる（図１７のＸＹＺ取得部７２０）。
【０２０４】
すると、そのコンピュータ５１０では、図１７に示す記憶部９１０に記憶されたカラープロファイル９１０ａ（ステップＳ５２で作成されたカラープロファイル）が参照され、ＸＹＺ取得部７２０で得られたＣＩＥＸＹＺ値のうち、ＣＭＹグレーパッチを測色して得たＸＹＺ値からはＫ＝０％の拘束条件の下でデバイス信号（ＣＭＹ値）が算出され（ステップＳ７２）、Ｋグレーパッチを測色して得たＸＹＺ値からはＣ＝Ｍ＝Ｙ＝０％の拘束条件の下でデバイス信号（Ｋ値）が算出される（ステップＳ７２ｂ）。
【０２０５】
このデバイス信号ＣＭＹＫの算出の際は、測色計５００での測色により得られたＣＩＥＸＹＺ値からデバイス信号ＣＭＹＫを求めるだけでなく、それと同様にして、その測色計５００での測色の対象であるグレーパッチの目標となるＣＩＥＸＹＺ値も、その同じカラープロファイルに基づいてデバイス信号ＣＭＹＫ＿ｔａｒに変換される。
【０２０６】
尚、このデバイス信号ＣＭＹＫ＿ｔａｒは、グレーパッチを作成するために用いた目標パッチデータそのものであり、その目標パッチデータを記憶しておいたときは、目標ＣＩＥＸＹＺからＣＭＹＫ＿ｔａｒへの変換は不要である。
【０２０７】
次にステップＳ７３では、図１７のインク調整量指示装置９００の記憶部９１０に記憶された対応関係９１０ｂ（図１９のステップＳ６１で求められた対応関係（図１８（Ｂ）参照））に基づいて、上記のようにして求めたデバイス信号ＣＭＹＫとＣＭＹＫ＿ｔａｒからインクキーの調整値Ｍが算出される。このインクキーの調整値Ｍは、ＣＭＹＫの各インクのさらに各インクキーごとに求められる。
【０２０８】
このインクキーの調整値Ｍは、１色のインク（ここではシアン（Ｃ）とする）の１つのインクキーに関し、
Ｍｃ＝ｆ（Ｃ，Ｃstd）……（１９）
と表現することができる。この（１９）式中、Ｍｃは、シアン（Ｃ）のインクのその１つのインクキーの調整値、Ｃは、ＣＭＹグレーパッチの測色値（ＸＹＺ値）からカラープロファイルに従って求めたＣＭＹＫ色空間上のＣの値、Ｃstdは、インクキーの開度の設定値を含めその印刷機の全てが標準状態にあるときの、シアン（Ｃ）のインクのそのインクキーに対するＣＭＹグレーパッチの測色値（ＸＹＺ値）からカラープロファイルに従って求めたＣＭＹＫ色空間上のＣの値である。
【０２０９】
図１９のステップＳ７４（図１７のインク調整量指示装置９００の調整値指示部９５０）では、ステップＳ７３（図１７のインク調整量指示装置９００の調整値算出部９４０）で求められた調整値Ｍがコンピュータ５１０の表示画面上に表示されるとともに（図１３参照）、ＣＭＹＫの各色インクに対応したインクキー制御部（図６には一色分のインクキー制御部４１８が示されている）に送られてＣＭＹＫの各色インクの各インクキーの開度が調整される。
【０２１０】
前述の第１実施形態の場合、べた濃度と設定値との対応関係を求めておき、中間調のグレーバッチの測色値からべた濃度の推定値を求め、その推定値からインク塗布厚の調整値を求めているため、印刷画像の特質に応じて任意に調整された網点面積率のグレーパッチをその印刷画像とともに印刷して、そのグレーパッチの、中間調の網点面積率のインク塗布厚を調整することができるが、ここで説明している第２実施形態の場合、図１９のステップＳ６１での対応関係を求めるために印刷するグレーパッチと、実際の画像印刷時に余白に印刷するグレーパッチは同じ網点面積率のパッチデータに基づくグレーパッチである必要があり、したがって印刷画像の特質に応じて異なる中間調のインク塗布厚を調整しようとする場合、各中間調ごとに対応関係を求めておく必要がある。ただし、それと引き換えに、図１８、図１９からも分かるように、実際の印刷中のインク塗布厚の調整のための演算は前述の第１実施形態の場合よりも単純である。
【０２１１】
次に、図１６〜図１９を参照して説明してきた第２実施形態の変形例について説明する。
【０２１２】
図２０〜図２３は、本発明の第２実施形態の変形例における、それぞれ、ＣＤＲＯＭに記憶されたインク調整指示プログラムの模式構成図、インク調整器指示装置の機能ブロック図、インク調整量指示方法の処理の流れを示すブロック図、およびインク調整量指示方法の処理の流れを示すフローチャートである。
【０２１３】
図２０のＣＤ−ＲＯＭ５７０に格納されたインク調整量指示プログラム８００は、この図２０上では図１６と同一である。図１６のインク調整量指示プログラムとの相違点については、図２１のインク調整量指示装置の説明と合わせて説明する。尚、図２０のインク調整量指示プログラム８００と図２１のインク調整量指示装置９００の関係は、図１６のインク調整量指示プログラムと図１７のインク調整量指示装置の関係と同一である。すなわち、図２１に示すインク調整量指示装置９００は、図６，図７に示すコンピュータ５１０に図２０に示すインク調整量指示プログラム８００がインストールされて実行されることによりそのコンピュータ５１０内に構築されるものである。
【０２１４】
図２１に示すインク調整量指示装置９００を構成する記憶部９１０には、図１７に示すインク調整量指示装置を構成する記憶部と比べ、さらに写像関係９１０ｃが記憶されている点が異なっている。この写像関係９１０ｃは、ＣＭＹＫ色空間上の、画像データに対応づけられる座標値からドットゲインを含んだ座標値への写像関係を規定したものであり、図９に示すインク調整量指示装置７００の記憶部７１０に記憶されている写像関係７１０ｂと同様にして作成されたものである。
【０２１５】
また、図２１に示すインク調整量指示装置９００の記憶部９１０に記憶された対応関係９１０ｂは、ドットゲインを考慮したときのＣＭＹＫの各座標値と、各インクキーの開度の設定値との対応関係を規定したものである。
【０２１６】
また、これに伴い、図２１に示すインク調整量指示装置９３０の座標写像部９３０では、ＸＹＺ取得部で得られたＣＩＥＸＹＺ値がカラープロファイル９１０ａに基づいてＣＭＹＫ値に変換され（ここまでは、図１７のインク調整量指示装置の座標写像部と同様）、さらに、そのＣＭＹＫ値が、写像関係９１０ｃに基づいて、ドットゲインを考慮したときの新たなＣＭＹＫ値へと変換される。
【０２１７】
さらに、これに伴い、調整値算出部９４０では、ドットゲインを考慮したときのＣＭＹＫの各座標値とインクキー設定値との対応関係９１０ｂに基づいて、座標写像部９３０で求められた、ドットゲインを考慮したときの新たなＣＭＹＫ値からインクキーの調整値が求められる。
【０２１８】
この図２１のインク調整量指示装置の、図１７のインク調整量指示装置との相違点は、以上の点のみであり、その他は全て図１７のインク調整量指示装置と同様である。
【０２１９】
図２２，図２３を参照して、これらの相違点についてさらに説明する。
【０２２０】
図２２を図１８と比べると、図２２（Ｃ）の写像関係が追加されており、かつ、ＣＭＹＫから、その写像関係に基づくドットゲインを含んだときのＣＭＹＫであるＣ′Ｍ′Ｙ′Ｋ′への変換のブロックが追加されている。また、図２２（Ｂ）に示す対応関係は、図１８に示すようなＣＭＹＫとインクキーの設定値との対応関係ではなく、ドットゲインを考慮した後のＣ′Ｍ′Ｙ′Ｋ′とインクキーの設定値との対応関係であり、その対応関係に基づいて、図２２（Ｃ）の写像関係に基づいてドットゲインが考慮されたＣ′Ｍ′Ｙ′Ｋ′からインクキーの調整値Ｍが求められる。
【０２２１】
図２３では、図１９と比べ、ステップＳ８１，Ｓ８２ａ，Ｓ８２ｂが追加されている。また、図２３のステップＳ６１，Ｓ７３は、図１９のステップＳ６１，Ｓ７３とは若干異なる。
【０２２２】
ステップＳ８１では、ドットゲイン算入前後の写像関係が求められる。このステップＳ８１における写像関係の求め方は、図１１のステップＳ３１における写像関係の求め方と同一であり、ここでは重複説明は省略する。
【０２２３】
また、図２３のステップＳ６１では、印刷機が標準状態にあるときに、各インクキーの開度の設定値のみ標準状態から変化させながら、例えばＣＭＹＫのいずれについても網点面積率が５０％の所定の目標パッチデータに基づくＣＭＹグレーパッチおよびＫグレーパッチを各インクキーに対応して印刷し、それらのＣＭＹグレーパッチおよびＫグレーパッチを測色してＣＩＥＸＹＺ色空間上の各座標値（ＸＹＺ値）を求め、それらの各座標値（ＸＹＺ値）をステップＳ５２で作成したカラープロファイルに基づいてＣＭＹＫ色空間上の座標値に変換する。
【０２２４】
ここまでの処理は、前述した図１９のステップＳ６１の処理と同一である。図２３のステップＳ６１では、さらにその後、ステップＳ８１で求められた写像関係に基づいて、カラープロファイルに基づく変換により得られたＣＭＹＫ色空間上の座標値から、ドットゲインを考慮したときの、ＣＭＹＫ色空間上の新たな座標値に変換し、これにより、インクキーの設定値と、ＣＭＹグレーパッチおよびＫグレーパッチのＣＭＹＫ色空間上のドッゲインを考慮した座標値（Ｃ′Ｍ′Ｙ′Ｋ′値）との対応関係を求める。
【０２２５】
この対応関係は、例えばシアン（Ｃ）の１つのインクキーに関し、
ＭC＝ｆ（Ｃ′，Ｃ′std）                    …（２０）
と表現することができる。ここでＭCは、シアン（Ｃ）のインクのその１つのインクキーの調整量、Ｃ′はＣＭＹグレーパッチの測色値（ＸＹＺ値）からカラープロファイルおよび写像関係に従って求めたＣＭＹＫ色空間上のＣの値、Ｃ′stdは、インクキーの開度の設定値を含めその印刷機の全てが標準状態にあるときの、シアン（Ｃ）のインクのそのインクキーに対するＣＭＹグレーパッチの測色値（ＸＹＺ値）からカラープロファイルおよび写像関係に従って求めたＣＭＹＫ色空間上のＣの値である。
【０２２６】
また、図２３のステップＳ８２ａ，Ｓ８２ｂでは、ステップＳ７２ａ，Ｓ７２ｂでカラープロファイルに従って求めたＣＭＹＫ値を、ステップＳ８１で求めた写像関係に基づいてドットゲインを考慮したＣ′Ｍ′Ｙ′Ｋ′値に変換される。
【０２２７】
ステップＳ７３では、ステップＳ６１で求めた。インクキーの設定値とグレーパッチのドットゲインを考慮したときのデバイス信号Ｃ′Ｍ′Ｙ′Ｋ′との対応関係が参照されて、ステップＳ８２ａ，Ｓ８２ｂで求めたデバイス信号Ｃ′Ｍ′Ｙ′Ｋ′からインクキーの調整値Ｍが算出される。
【０２２８】
尚、以上の各実施形態は、本発明にいう画像出力デバイスの一例として印刷機を取り上げて説明したが、本発明の対象となる画像出力デバイスは、印刷機に限られるものではなく、本発明は、網点面積率により濃度階調や色調を表現する網点画像を出力する画像出力デバイスであって、インク塗布厚を調整する機構のある画像出力デバイス一般を対象とすることができる。
【０２２９】
【発明の効果】
以上説明したように、本発明によれば、オペレータの熟練に頼ることなくインク調整量が客観的に算出される。
【図面の簡単な説明】
【図１】本発明の一実施形態が適用された印刷システムを含む、印刷およびプルーフ画像作成システムの全体構成図である。
【図２】印刷プロファイルの概念図である。
【図３】プリンタプロファイルの概念図である。
【図４】印刷プロファイルとプリンタプロファイルを結合させたリンクプロファイルを示す図である。
【図５】印刷機の一部を示す模式図である。
【図６】印刷機のうちの、本発明の実施形態に関係する部分、および本発明の一実施形態としてのインク調整量指示装置として動作するコンピュータの模式図である。
【図７】図６に外観を示すコンピュータのハードウェア構成図である。
【図８】ＣＤ−ＲＯＭに記憶されたインク調整量指示プログラムの模式構成図である。
【図９】本発明のインク調整量指示装置の一実施形態を示す機能ブロック図である。
【図１０】本発明の一実施形態のインク調整量指示方法の処理の流れを示すブロック図である。
【図１１】本発明の一実施形態のインク調整量指示方法の処理の流れを示すフローチャートである。
【図１２】べた濃度とインクキーの開度の設定値との対応関係を示す図である。
【図１３】図６，図７に示すコンピュータ５１０の表示画面５３０ａ上に表示されるインクキー開度調整値Ｍを示す図である。
【図１４】べた濃度とロール回転速度設定値との一色分の対応関係値を示す概念図である。
【図１５】ロール回転速度調整値の表示例を示す図である。
【図１６】ＣＤ−ＲＯＭに記憶された本発明の第２実施形態としてのインク調整量指示プログラムの模式構成図である。
【図１７】本発明の第２実施形態としてのインク調整量指示装置を示す機能ブロック図である。
【図１８】本発明の第２実施形態のインク調整量指示方法の処理の流れを示すブロック図である。
【図１９】本発明の第２実施形態のインク調整量指示方法の処理の流れを示すフローチャートである。
【図２０】本発明の第２実施形態の変形例における、ＣＤＲＯＭに記憶されたインク調整指示プログラムの模式構成図である。
【図２１】本発明の第２実施形態の変形例における、インク調整器指示装置の機能ブロック図である。
【図２２】本発明の第２実施形態の変形例における、インク調整量指示方法の処理の流れを示すブロック図である。
【図２３】本発明の第２実施形態の変形例における、インク調整量指示方法の処理の流れを示すフローチャートである。
【符号の説明】
１０  カラースキャナ
１１  原稿画像
２０  ワークステーション
３０  フィルムプリンタ
４０  印刷システム
４１  印刷画像
５０  パーソナルコンピュータ
６０  プリンタ
６１  プルーフ画像
７０  測色計
４１１，４１１ａ，４１１ｂ，…，４１１ｎ  インクキー
４１２  ロール
４１６  インク供給部
４１７  ロール回転制御
４１８  インクキー制御部
５００  測色計
５１０  コンピュータ
５２０  本体装置
５２１  ＣＰＵ
５２２  主メモリ
５２３  ハードディスク装置
５２４  ＦＤドライブ
５２５  ＣＤ−ＲＯＭドライブ
５２６  入力インターフェイス
５２７  出力インターフェイス
５２８  バス
５４０  キーボード
５５０  マウス
５６０  ＦＤ
５７０  ＣＤ−ＲＯＭ
６００  インク調整量指示プログラム
６１０  記憶部
６２０  ＸＹＺ取得部
６３０  べた濃度算出部
６３１  ドットゲイン算入部
６３２  濃度推定部
６４０  調整値算出部
６５０  調整値指示部
７００  インク調整量指示プログラム
７１０  記憶部
７２０  ＸＹＺ取得部
７３０  べた濃度算出部
７３１  ドットゲイン算入部
７３２  べた濃度推定部
７４０  調整値算出部
７５０  調整値指示部
８００  インク調整量指示プログラム
８１０  記憶部
８２０  ＸＹＺ取得部
８３０  座標写像部
８４０  調整値算出部
８５０  調整値指示部
９００  インク調整量指示装置
９１０  記憶部
９２０  ＸＹＺ取得部
９３０  調整量指示装置
９４０  調整値算出部
９５０  調整値指示部
【図１】
2004195698.tif 000020
【図２】
2004195698.tif 000021
【図３】
2004195698.tif 000022
【図４】
2004195698.tif 000023
【図５】
2004195698.tif 000024
【図６】
2004195698.tif 000025
【図７】
2004195698.tif 000026
【図８】
2004195698.tif 000027
【図９】
2004195698.tif 000028
【図１０】
2004195698.tif 000029
【図１１】
2004195698.tif 000030
【図１２】
2004195698.tif 000031
【図１３】
2004195698.tif 000032
【図１４】
2004195698.tif 000033
【図１５】
2004195698.tif 000034
【図１６】
2004195698.tif 000035
【図１７】
2004195698.tif 000036
【図１８】
2004195698.tif 000037
【図１９】
2004195698.tif 000038
【図２０】
2004195698.tif 000039
【図２１】
2004195698.tif 000040
【図２２】
2004195698.tif 000041
【図２３】
2004195698.tif 000042